(57)【要約】【課題】人員コストの問題を回避し、多くの調査項目について調査可能とし、調査対象の属性判断において高い客観性を確保可能なマーケティング支援装置及びマーケティング支援方法を提供する。【解決手段】本発明のマーケティング支援端末装置１００は、広告面ＤＢ１０２ａと、天候情報付流動属性ＤＢ１０２ｂと、天候予報ＤＢ１０２ｃとを有し、これらのＤＢから、広告宣伝を行うターゲット層の年代や性別、商品カテゴリや店舗位置、広告看板の設置開始時期や設置期間などの入力条件に合致する過去の流動属性情報を取得し、該取得した過去の流動属性情報に基づいて広告宣伝を行うに最適な広告看板を選択して提示し、広告看板の利用効率を高めるマーケティング業務を支援することを可能とした。【選択図】        図６
2007293544.tif 000002
【特許請求の範囲】
【請求項１】
宣伝を目的とするコンテンツ媒体の前面において流動する人物を撮像装置が撮像した画像を分析して取得された該人物の属性情報及び該コンテンツ媒体に対する注視状況である流動性情報と該コンテンツ媒体の識別情報とが関連付けて蓄積された蓄積情報を参照し、宣伝を行う際に使用する最適なコンテンツ媒体を選択して提示するマーケティング支援装置であって、
前記蓄積情報を記憶する蓄積情報記憶手段と、
前記コンテンツ媒体の媒体属性情報を前記識別情報に関連付けて管理するコンテンツ媒体属性管理手段と、
前記コンテンツ媒体を選択するための選択条件を入力させるための選択条件入力手段と、
前記選択条件入力手段に入力された前記選択条件に合致するコンテンツ媒体を選択するコンテンツ媒体選択手段と、
前記コンテンツ媒体選択手段により選択されたコンテンツ媒体の識別情報に基づき、前記コンテンツ媒体属性管理手段を参照して、該コンテンツ媒体に対応する媒体属性情報を取得して提示するコンテンツ媒体属性情報取得提示手段と
を備えたことを特徴とするマーケティング支援装置。
【請求項２】
前記蓄積情報記憶手段が記憶する前記蓄積情報はコンテンツ媒体設置場所情報を含み、
前記選択条件入力手段は、前記選択条件として、前記コンテンツ媒体設置場所情報を入力可能であり、
前記コンテンツ媒体選択手段は、前記蓄積情報記憶手段に記憶される前記コンテンツ媒体設置場所情報を参照して、前記入力されたコンテンツ媒体設置場所情報に合致するコンテンツ媒体設置場所情報を有するコンテンツ媒体を選択することを特徴とする請求項１に記載のマーケティング支援装置。
【請求項３】
前記蓄積情報記憶手段は、前記蓄積情報に含まれるコンテンツ媒体設置場所情報に対応する天候情報をさらに記憶して、該天候情報が前記コンテンツ媒体に関連付けられており、
前記選択条件入力手段は、前記選択条件として、天候情報を入力可能であることを特徴とする請求項１又は２に記載のマーケティング支援装置。
【請求項４】
前記蓄積情報記憶手段は、前記蓄積情報に含まれる前記コンテンツ媒体設置場所情報に対応する該コンテンツ媒体により宣伝される商品の商品種別をさらに記憶して、該商品種別が前記コンテンツ媒体に関連付けられており、
前記選択条件入力手段は、前記選択条件として、前記商品種別を入力可能であることを特徴とする請求項１〜３の何れか一つに記載のマーケティング支援装置。
【請求項５】
前記コンテンツ媒体属性管理手段は、当該コンテンツ媒体に対応する媒体属性情報として、該コンテンツ媒体が設置される設置場所と、広告面面積と、該コンテンツ媒体を利用する場合の出稿料金と、該コンテンツ媒体と一体的に使用可能な他のコンテンツ媒体に関する情報とを前記識別情報に対応させて記憶することを特徴とする請求項１〜４の何れか一つに記載のマーケティング支援装置。
【請求項６】
前記コンテンツ媒体属性管理手段は、該コンテンツ媒体を使用して行う広告宣伝の出稿主と、該コンテンツ媒体毎の保守作業予定と、該コンテンツ媒体の予約状況とを、該コンテンツ媒体毎に時系列に並べたコンテンツ媒体利用可能状況情報をさらに記憶することを特徴とする請求項１〜５の何れか一つに記載のマーケティング支援装置。
【請求項７】
前記選択条件入力手段は、前記選択条件として、コンテンツ媒体の利用開始時期及び利用期間を設定可能であり、
前記コンテンツ媒体選択手段は、前記コンテンツ媒体属性管理手段に記憶される前記コンテンツ媒体利用可能状況情報を参照して、前記入力されたコンテンツ媒体の利用開始時期及び利用期間において使用可能とされるコンテンツ媒体を選択することを特徴とする請求項６に記載のマーケティング支援装置。
【請求項８】
前記天候情報、若しくは前記コンテンツ媒体の利用開始時期及び利用期間を再設定させ、該再設定された選択条件に基づき前記選択条件に合致するコンテンツ媒体を再選択して前記コンテンツ媒体属性情報取得提示手段に提示させるコンテンツ媒体再選択手段をさらに備えたことを特徴とする請求項７に記載のマーケティング支援装置。
【請求項９】
前記コンテンツ媒体属性情報取得提示手段により提示されるコンテンツ媒体からコンテンツ媒体を選択して該コンテンツ媒体の利用予約又は利用契約処理を行う予約契約処理手段をさらに備えたことを特徴とする請求項１〜８の何れか一つに記載のマーケティング支援装置。
【請求項１０】
宣伝を目的とするコンテンツ媒体の前面において流動する人物を撮像装置が撮像した画像を分析して取得された該人物の属性情報及び該コンテンツ媒体に対する注視状況である流動性情報と該コンテンツ媒体の設置位置情報とが関連付けて蓄積された蓄積情報を参照し、該設置位置情報に関連させて前記流動性情報を分析して表示するマーケティング支援装置であって、
前記蓄積情報を記憶する蓄積情報記憶手段と、
前記コンテンツ媒体を選択するためのコンテンツ媒体設置区域の条件を入力させるコンテンツ媒体設置区域条件入力手段と、
前記コンテンツ媒体設置区域条件入力手段に入力された前記コンテンツ媒体設置区域の条件に合致するコンテンツ媒体を選択するコンテンツ媒体選択手段と、
前記コンテンツ媒体選択手段により選択されたコンテンツ媒体に対応付けられた前記流動性情報を分析して表示する流動性情報分析表示手段と
を備えたことを特徴とするマーケティング支援装置。
【請求項１１】
前記蓄積情報記憶手段は、前記蓄積情報に含まれるコンテンツ媒体設置場所情報に対応する天候情報をさらに記憶して、該天候情報が前記コンテンツ媒体に関連付けられており、
コンテンツ媒体の選択条件として前記天候情報を入力させるための天候条件入力手段をさらに備え、
前記コンテンツ媒体選択手段は、前記天候条件入力手段に入力された前記天候情報の条件に合致するコンテンツ媒体を選択することを特徴とする請求項１０に記載のマーケティング支援装置。
【請求項１２】
前記天候情報若しくは前記コンテンツ媒体設置区域の条件を再設定させ、該再設定された選択条件に合致するコンテンツ媒体を再選択して前記コンテンツ媒体属性情報取得提示手段に提示させるコンテンツ媒体再選択手段をさらに備えたことを特徴とする請求項１１に記載のマーケティング支援装置。
【請求項１３】
イベントスペースにおいて流動する人物を撮像装置が撮像した画像を分析して取得された該人物の属性情報である流動性情報と該イベントスペースの識別情報とが関連付けて蓄積された蓄積情報を参照し、イベントを行う際に使用する最適なイベントスペースを選択して提示するマーケティング支援装置であって、
前記蓄積情報を記憶する蓄積情報記憶手段と、
前記イベントスペースの属性情報を前記識別情報に関連付けて管理するイベントスペース属性管理手段と、
前記イベントスペースを選択するための選択条件を入力させるための選択条件入力手段と、
前記選択条件入力手段に入力された前記選択条件に合致するイベントスペースを選択するイベントスペース選択手段と、
前記イベントスペース選択手段により選択されたイベントスペースの識別情報に基づき、前記イベントスペース属性管理手段を参照して、該イベントスペースに対応する属性情報を取得して表示するイベントスペース属性情報取得提示手段と
を備えたことを特徴とするマーケティング支援装置。
【請求項１４】
前記イベントスペース選択手段により選択されたイベントスペースに対応付けられた前記流動性情報を分析して表示する流動性情報分析表示手段をさらに備えたことを特長とする請求項１３に記載のマーケティング支援装置。
【請求項１５】
前記蓄積情報記憶手段が記憶する前記蓄積情報はイベントスペース設置場所情報を含み、
前記選択条件入力手段は、前記選択条件として、前記イベントスペース設置場所情報を入力可能であり、
前記イベントスペース選択手段は、前記蓄積情報記憶手段に記憶される前記イベントスペース設置場所情報を参照して、前記入力されたイベントスペース設置場所情報に合致するイベントスペース設置場所情報を有するイベントスペースを選択することを特徴とする請求項１３又は１４に記載のマーケティング支援装置。
【請求項１６】
前記蓄積情報記憶手段は、前記蓄積情報に含まれるイベントスペース設置場所情報に対応する天候情報をさらに記憶して、該天候情報が前記イベントスペースに関連付けられており、
前記選択条件入力手段は、前記選択条件として、天候情報を入力可能であることを特徴とする請求項１５に記載のマーケティング支援装置。
【請求項１７】
前記イベントスペース属性管理手段は、当該イベントスペースに対応する媒体属性情報として、該イベントスペースが設置される設置場所と、イベントスペース面積と、該イベントスペースを利用する場合の利用料金とを前記識別情報に対応させて記憶することを特徴とする請求項１３〜１６の何れか一つに記載のマーケティング支援装置。
【請求項１８】
前記イベントスペース属性管理手段は、該イベントスペースを使用して行うイベントの開催者と、該イベントスペース毎の保守作業予定と、該イベントスペースの予約状況とを、該イベントスペース毎に時系列に並べたイベントスペース利用可能状況情報をさらに記憶することを特徴とする請求項１３〜１７の何れか一つに記載のマーケティング支援装置。
【請求項１９】
前記選択条件入力手段は、前記選択条件として、イベントスペースの利用開始時期及び利用期間を設定可能であり、
前記イベントスペース選択手段は、前記イベントスペース属性管理手段に記憶される前記イベントスペース利用可能状況情報を参照して、前記入力されたイベントスペースの利用開始時期及び利用期間において使用可能とされるイベントスペースを選択することを特徴とする請求項１８に記載のマーケティング支援装置。
【請求項２０】
前記天候情報、若しくは前記イベントスペースの利用開始時期及び利用期間を再設定させ、該再設定された選択条件に基づき前記選択条件に合致するイベントスペースを再選択して前記イベントスペース属性情報取得提示手段に提示させるイベントスペース再選択手段をさらに備えたことを特徴とする請求項１９に記載のマーケティング支援装置。
【請求項２１】
前記蓄積情報記憶手段は、前記蓄積情報に含まれる前記イベントスペース設置場所情報に対応する該イベントスペースにおいて行われたイベントのイベント種別をさらに記憶して、該イベント種別が前記イベントスペースに関連付けられており、
前記イベントスペース再選択手段は、前記選択条件として、前記イベント種別を入力可能であることを特徴とする請求項２０に記載のマーケティング支援装置。
【請求項２２】
商品の流行特性の過去情報及び将来情報を流行発生地区情報に関連付けて記憶する流行特性記憶手段と、
前記選択条件入力手段に入力された前記前記イベントスペース設置場所情報と一致する前記流行発生地区情報に対応する前記流行の特性の過去情報及び将来情報を前記流行特性記憶手段から読み出して表示する流行特性取得表示手段とをさらに備えたことを特徴とする請求項２１に記載のマーケティング支援装置。
【請求項２３】
前記イベントスペース属性情報取得提示手段により提示されるイベントスペースからイベントスペースを選択して該イベントスペースの利用予約又は利用契約処理を行う予約契約処理手段をさらに備えたことを特徴とする請求項１３〜２２の何れか一つに記載のマーケティング支援装置。
【請求項２４】
宣伝を目的とするコンテンツ媒体の前面において流動する人物を撮像方法が撮像した画像を分析して取得された該人物の属性情報及び該コンテンツ媒体に対する注視状況である流動性情報と該コンテンツ媒体の識別情報とが関連付けて蓄積された蓄積情報を参照し、宣伝を行う際に使用する最適なコンテンツ媒体を選択して提示するマーケティング支援方法であって、
前記蓄積情報を記憶する蓄積情報記憶工程と、
前記コンテンツ媒体の媒体属性情報を前記識別情報に関連付けて管理するコンテンツ媒体属性管理工程と、
前記コンテンツ媒体を選択するための選択条件を入力させるための選択条件入力工程と、
前記選択条件入力工程に入力された前記選択条件に合致するコンテンツ媒体を選択するコンテンツ媒体選択工程と、
前記コンテンツ媒体選択工程により選択されたコンテンツ媒体の識別情報に基づき、前記コンテンツ媒体属性管理工程を参照して、該コンテンツ媒体に対応する媒体属性情報を取得して提示するコンテンツ媒体属性情報取得提示工程と
を含んだことを特徴とするマーケティング支援方法。
【請求項２５】
宣伝を目的とするコンテンツ媒体の前面において流動する人物を撮像方法が撮像した画像を分析して取得された該人物の属性情報及び該コンテンツ媒体に対する注視状況である流動性情報と該コンテンツ媒体の設置位置情報とが関連付けて蓄積された蓄積情報を参照し、該設置位置情報に関連させて前記流動性情報を分析して表示するマーケティング支援方法であって、
前記蓄積情報を記憶する蓄積情報記憶工程と、
前記コンテンツ媒体を選択するためのコンテンツ媒体設置区域の条件を入力させるコンテンツ媒体設置区域条件入力工程と、
前記コンテンツ媒体設置区域条件入力工程に入力された前記コンテンツ媒体設置区域の条件に合致するコンテンツ媒体を選択するコンテンツ媒体選択工程と、
前記コンテンツ媒体選択工程により選択されたコンテンツ媒体に対応付けられた前記流動性情報を分析して表示する流動性情報分析表示工程と
を含んだことを特徴とするマーケティング支援方法。
【請求項２６】
イベントスペースにおいて流動する人物を撮像方法が撮像した画像を分析して取得された該人物の属性情報である流動性情報と該イベントスペースの識別情報とが関連付けて蓄積された蓄積情報を参照し、イベントを行う際に使用する最適なイベントスペースを選択して提示するマーケティング支援方法であって、
前記蓄積情報を記憶する蓄積情報記憶工程と、
前記イベントスペースの属性情報を前記識別情報に関連付けて管理するイベントスペース属性管理工程と、
前記イベントスペースを選択するための選択条件を入力させるための選択条件入力工程と、
前記選択条件入力工程に入力された前記選択条件に合致するイベントスペースを選択するイベントスペース選択工程と、
前記イベントスペース選択工程により選択されたイベントスペースの識別情報に基づき、前記イベントスペース属性管理工程を参照して、該イベントスペースに対応する属性情報を取得して表示するイベントスペース属性情報取得提示工程と
を含んだことを特徴とするマーケティング支援方法。
【発明の詳細な説明】
【技術分野】
【０００１】
本発明は、コンテンツ媒体の前面又はイベントスペースにおいて流動する人物を撮像装置が撮像した画像を分析して取得された該人物の属性情報及び該コンテンツ媒体に対する注視状況である流動性情報と該コンテンツ媒体の識別情報とが関連付けて蓄積された蓄積情報を参照し、宣伝を行う際又はイベントを行う際に使用する最適なコンテンツ媒体又イベントスペースを選択して提示するマーケティング支援装置に関する。
【背景技術】
【０００２】
従来から、調査対象者に対してアンケート調査を行い、顧客の属性情報などの定性的なデータや顧客数などの定量的なデータを収集し、このデータを分析することによってマーケティングを行うことが一般的に行われている。
【０００３】
このようなデータは膨大な量となることから、データ処理を正確かつ効率的に行うために、ネットワーク接続されたコンピュータ端末から調査対象者により入力されたアンケートの回答をサーバ装置で受信して自動的にデータを蓄積し、この蓄積されたデータを分析のためのコンピュータ端末から参照して分析を行うことによって市場分析を行わせるように構成されたマーケティング支援装置が知られている。例えば、特許文献１には、調査対象者から受信したアンケートの回答を市場データとして蓄積し、この蓄積される市場データを基に市場分析を行う分析者側のサーバ装置と、アンケートの回答を入力するための調査対象者側のコンピュータ端末とがネットワーク接続されているマーケティング支援装置が開示されている。
【０００４】
【特許文献１】特開２００２−１３３０６５号公報
【発明の開示】
【発明が解決しようとする課題】
【０００５】
しかしながら、上記特許文献１に代表される従来技術では、調査対象者に対してアンケート回答への協力を得なければ、アンケートの回答を得ることができず、市場分析の基になる調査データを蓄積することができないという問題点があった。即ち、調査データは、マーケティング支援装置により自己完結的に収集されるものではなく、あくまで調査対象者からアンケートの回答を得て蓄積するしかない。
【０００６】
また、上記特許文献１に代表される従来技術などでは、調査対象者側のコンピュータ端末が設置されている、限られた場所でしかアンケートの回答を行うことができず、調査対象とする特定の場所に集まっている人に対してはアンケートを行うことができない。例えば、駅のコンコースを通過する人に対してアンケートを行い、性別や年齢を調査したいという場合があるが、上記特許文献１に代表される従来技術では、このような調査は不可能である。
【０００７】
このような場合であって、調査対象者の手を煩わせることなく、調査者により自己完結的に調査データを収集したい場合は、従来は、調査係員を配置し、該調査課係員の判断に基づいた性別や年齢を記録することによって、調査データを収集するという方法が取られていた。しかし、調査係員を配置することによって人員コストの問題が生じることはもちろんのこと、多くの調査対象者に対して判断した結果を記録可能な調査項目の数は限られ、また、該判断から調査係員の主観を完全に除去することが不可能であり、統計データとしての信頼性に疑問があった。
【０００８】
本発明は、上記問題点（課題）を解消するためになされたものであって、人員コストの問題を回避し、多くの調査項目について調査可能とし、調査対象の属性判断において高い客観性を確保可能なマーケティング支援装置及びマーケティング支援方法を提供することを目的とする。
【課題を解決するための手段】
【０００９】
上述した問題を解決し、目的を達成するため、本発明は、宣伝を目的とするコンテンツ媒体の前面において流動する人物を撮像装置が撮像した画像を分析して取得された該人物の属性情報及び該コンテンツ媒体に対する注視状況である流動性情報と該コンテンツ媒体の識別情報とが関連付けて蓄積された蓄積情報を参照し、宣伝を行う際に使用する最適なコンテンツ媒体を選択して提示するマーケティング支援装置であって、前記蓄積情報を記憶する蓄積情報記憶手段と、前記コンテンツ媒体の媒体属性情報を前記識別情報に関連付けて管理するコンテンツ媒体属性管理手段と、前記コンテンツ媒体を選択するための選択条件を入力させるための選択条件入力手段と、前記選択条件入力手段に入力された前記選択条件に合致するコンテンツ媒体を選択するコンテンツ媒体選択手段と、前記コンテンツ媒体選択手段により選択されたコンテンツ媒体の識別情報に基づき、前記コンテンツ媒体属性管理手段を参照して、該コンテンツ媒体に対応する媒体属性情報を取得して提示するコンテンツ媒体属性情報取得提示手段とを備えたことを特徴とする。
【００１０】
また、本発明は、上記発明において、前記蓄積情報記憶手段が記憶する前記蓄積情報はコンテンツ媒体設置場所情報を含み、前記選択条件入力手段は、前記選択条件として、前記コンテンツ媒体設置場所情報を入力可能であり、前記コンテンツ媒体選択手段は、前記蓄積情報記憶手段に記憶される前記コンテンツ媒体設置場所情報を参照して、前記入力されたコンテンツ媒体設置場所情報に合致するコンテンツ媒体設置場所情報を有するコンテンツ媒体を選択することを特徴とする。
【００１１】
また、本発明は、上記発明において、前記蓄積情報記憶手段は、前記蓄積情報に含まれるコンテンツ媒体設置場所情報に対応する天候情報をさらに記憶して、該天候情報が前記コンテンツ媒体に関連付けられており、前記選択条件入力手段は、前記選択条件として、天候情報を入力可能であることを特徴とする。
【００１２】
また、本発明は、上記発明において、前記蓄積情報記憶手段は、前記蓄積情報に含まれる前記コンテンツ媒体設置場所情報に対応する該コンテンツ媒体により宣伝される商品の商品種別をさらに記憶して、該商品種別が前記コンテンツ媒体に関連付けられており、前記選択条件入力手段は、前記選択条件として、前記商品種別を入力可能であることを特徴とする。
【００１３】
また、本発明は、上記発明において、前記コンテンツ媒体属性管理手段は、当該コンテンツ媒体に対応する媒体属性情報として、該コンテンツ媒体が設置される設置場所と、広告面面積と、該コンテンツ媒体を利用する場合の出稿料金と、該コンテンツ媒体と一体的に使用可能な他のコンテンツ媒体に関する情報とを前記識別情報に対応させて記憶することを特徴とする。
【００１４】
また、本発明は、上記発明において、前記コンテンツ媒体属性管理手段は、該コンテンツ媒体を使用して行う広告宣伝の出稿主と、該コンテンツ媒体毎の保守作業予定と、該コンテンツ媒体の予約状況とを、該コンテンツ媒体毎に時系列に並べたコンテンツ媒体利用可能状況情報をさらに記憶することを特徴とする。
【００１５】
また、本発明は、上記発明において、前記選択条件入力手段は、前記選択条件として、コンテンツ媒体の利用開始時期及び利用期間を設定可能であり、前記コンテンツ媒体選択手段は、前記コンテンツ媒体属性管理手段に記憶される前記コンテンツ媒体利用可能状況情報を参照して、前記入力されたコンテンツ媒体の利用開始時期及び利用期間において使用可能とされるコンテンツ媒体を選択することを特徴とする。
【００１６】
また、本発明は、上記発明において、前記天候情報、若しくは前記コンテンツ媒体の利用開始時期及び利用期間を再設定させ、該再設定された選択条件に基づき前記選択条件に合致するコンテンツ媒体を再選択して前記コンテンツ媒体属性情報取得提示手段に提示させるコンテンツ媒体再選択手段をさらに備えたことを特徴とする。
【００１７】
また、本発明は、上記発明において、前記コンテンツ媒体属性情報取得提示手段により提示されるコンテンツ媒体からコンテンツ媒体を選択して該コンテンツ媒体の利用予約又は利用契約処理を行う予約契約処理手段をさらに備えたことを特徴とする。
【００１８】
また、本発明は、宣伝を目的とするコンテンツ媒体の前面において流動する人物を撮像装置が撮像した画像を分析して取得された該人物の属性情報及び該コンテンツ媒体に対する注視状況である流動性情報と該コンテンツ媒体の設置位置情報とが関連付けて蓄積された蓄積情報を参照し、該設置位置情報に関連させて前記流動性情報を分析して表示するマーケティング支援装置であって、前記蓄積情報を記憶する蓄積情報記憶手段と、前記コンテンツ媒体を選択するためのコンテンツ媒体設置区域の条件を入力させるコンテンツ媒体設置区域条件入力手段と、前記コンテンツ媒体設置区域条件入力手段に入力された前記コンテンツ媒体設置区域の条件に合致するコンテンツ媒体を選択するコンテンツ媒体選択手段と、前記コンテンツ媒体選択手段により選択されたコンテンツ媒体に対応付けられた前記流動性情報を分析して表示する流動性情報分析表示手段とを備えたことを特徴とする。
【００１９】
また、本発明は、上記発明において、前記蓄積情報記憶手段は、前記蓄積情報に含まれるコンテンツ媒体設置場所情報に対応する天候情報をさらに記憶して、該天候情報が前記コンテンツ媒体に関連付けられており、コンテンツ媒体の選択条件として前記天候情報を入力させるための天候条件入力手段をさらに備え、前記コンテンツ媒体選択手段は、前記天候条件入力手段に入力された前記天候情報の条件に合致するコンテンツ媒体を選択することを特徴とする。
【００２０】
また、本発明は、上記発明において、前記天候情報若しくは前記コンテンツ媒体設置区域の条件を再設定させ、該再設定された選択条件に合致するコンテンツ媒体を再選択して前記コンテンツ媒体属性情報取得提示手段に提示させるコンテンツ媒体再選択手段をさらに備えたことを特徴とする。
【００２１】
また、本発明は、イベントスペースにおいて流動する人物を撮像装置が撮像した画像を分析して取得された該人物の属性情報である流動性情報と該イベントスペースの識別情報とが関連付けて蓄積された蓄積情報を参照し、イベントを行う際に使用する最適なイベントスペースを選択して提示するマーケティング支援装置であって、前記蓄積情報を記憶する蓄積情報記憶手段と、前記イベントスペースの属性情報を前記識別情報に関連付けて管理するイベントスペース属性管理手段と、前記イベントスペースを選択するための選択条件を入力させるための選択条件入力手段と、前記選択条件入力手段に入力された前記選択条件に合致するイベントスペースを選択するイベントスペース選択手段と、前記イベントスペース選択手段により選択されたイベントスペースの識別情報に基づき、前記イベントスペース属性管理手段を参照して、該イベントスペースに対応する属性情報を取得して表示するイベントスペース属性情報取得提示手段とを備えたことを特徴とする。
【００２２】
また、本発明は、上記発明において、前記イベントスペース選択手段により選択されたイベントスペースに対応付けられた前記流動性情報を分析して表示する流動性情報分析表示手段をさらに備えたことを特長とする。
【００２３】
また、本発明は、上記発明において、前記蓄積情報記憶手段が記憶する前記蓄積情報はイベントスペース設置場所情報を含み、前記選択条件入力手段は、前記選択条件として、前記イベントスペース設置場所情報を入力可能であり、前記イベントスペース選択手段は、前記蓄積情報記憶手段に記憶される前記イベントスペース設置場所情報を参照して、前記入力されたイベントスペース設置場所情報に合致するイベントスペース設置場所情報を有するイベントスペースを選択することを特徴とする。
【００２４】
また、本発明は、上記発明において、前記蓄積情報記憶手段は、前記蓄積情報に含まれるイベントスペース設置場所情報に対応する天候情報をさらに記憶して、該天候情報が前記イベントスペースに関連付けられており、前記選択条件入力手段は、前記選択条件として、天候情報を入力可能であることを特徴とする。
【００２５】
また、本発明は、上記発明において、前記イベントスペース属性管理手段は、当該イベントスペースに対応する媒体属性情報として、該イベントスペースが設置される設置場所と、イベントスペース面積と、該イベントスペースを利用する場合の利用料金とを前記識別情報に対応させて記憶することを特徴とする。
【００２６】
また、本発明は、上記発明において、前記イベントスペース属性管理手段は、該イベントスペースを使用して行うイベントの開催者と、該イベントスペース毎の保守作業予定と、該イベントスペースの予約状況とを、該イベントスペース毎に時系列に並べたイベントスペース利用可能状況情報をさらに記憶することを特徴とする。
【００２７】
また、本発明は、上記発明において、前記選択条件入力手段は、前記選択条件として、イベントスペースの利用開始時期及び利用期間を設定可能であり、前記イベントスペース選択手段は、前記イベントスペース属性管理手段に記憶される前記イベントスペース利用可能状況情報を参照して、前記入力されたイベントスペースの利用開始時期及び利用期間において使用可能とされるイベントスペースを選択することを特徴とする。
【００２８】
また、本発明は、上記発明において、前記天候情報、若しくは前記イベントスペースの利用開始時期及び利用期間を再設定させ、該再設定された選択条件に基づき前記選択条件に合致するイベントスペースを再選択して前記イベントスペース属性情報取得提示手段に提示させるイベントスペース再選択手段をさらに備えたことを特徴とする。
【００２９】
また、本発明は、上記発明において、前記蓄積情報記憶手段は、前記蓄積情報に含まれる前記イベントスペース設置場所情報に対応する該イベントスペースにおいて行われたイベントのイベント種別をさらに記憶して、該イベント種別が前記イベントスペースに関連付けられており、前記イベントスペース再選択手段は、前記選択条件として、前記イベント種別を入力可能であることを特徴とする。
【００３０】
また、本発明は、上記発明において、商品の流行特性の過去情報及び将来情報を流行発生地区情報に関連付けて記憶する流行特性記憶手段と、前記選択条件入力手段に入力された前記前記イベントスペース設置場所情報と一致する前記流行発生地区情報に対応する前記流行の特性の過去情報及び将来情報を前記流行特性記憶手段から読み出して表示する流行特性取得表示手段とをさらに備えたことを特徴とする。
【００３１】
また、本発明は、上記発明において、前記イベントスペース属性情報取得提示手段により提示されるイベントスペースからイベントスペースを選択して該イベントスペースの利用予約又は利用契約処理を行う予約契約処理手段をさらに備えたことを特徴とする。
【００３２】
また、本発明は、宣伝を目的とするコンテンツ媒体の前面において流動する人物を撮像方法が撮像した画像を分析して取得された該人物の属性情報及び該コンテンツ媒体に対する注視状況である流動性情報と該コンテンツ媒体の識別情報とが関連付けて蓄積された蓄積情報を参照し、宣伝を行う際に使用する最適なコンテンツ媒体を選択して提示するマーケティング支援方法であって、前記蓄積情報を記憶する蓄積情報記憶工程と、前記コンテンツ媒体の媒体属性情報を前記識別情報に関連付けて管理するコンテンツ媒体属性管理工程と、前記コンテンツ媒体を選択するための選択条件を入力させるための選択条件入力工程と、前記選択条件入力工程に入力された前記選択条件に合致するコンテンツ媒体を選択するコンテンツ媒体選択工程と、前記コンテンツ媒体選択工程により選択されたコンテンツ媒体の識別情報に基づき、前記コンテンツ媒体属性管理工程を参照して、該コンテンツ媒体に対応する媒体属性情報を取得して提示するコンテンツ媒体属性情報取得提示工程とを含んだことを特徴とする。
【００３３】
また、本発明は、宣伝を目的とするコンテンツ媒体の前面において流動する人物を撮像方法が撮像した画像を分析して取得された該人物の属性情報及び該コンテンツ媒体に対する注視状況である流動性情報と該コンテンツ媒体の設置位置情報とが関連付けて蓄積された蓄積情報を参照し、該設置位置情報に関連させて前記流動性情報を分析して表示するマーケティング支援方法であって、前記蓄積情報を記憶する蓄積情報記憶工程と、前記コンテンツ媒体を選択するためのコンテンツ媒体設置区域の条件を入力させるコンテンツ媒体設置区域条件入力工程と、前記コンテンツ媒体設置区域条件入力工程に入力された前記コンテンツ媒体設置区域の条件に合致するコンテンツ媒体を選択するコンテンツ媒体選択工程と、前記コンテンツ媒体選択工程により選択されたコンテンツ媒体に対応付けられた前記流動性情報を分析して表示する流動性情報分析表示工程とを含んだことを特徴とする。
【００３４】
また、本発明は、イベントスペースにおいて流動する人物を撮像方法が撮像した画像を分析して取得された該人物の属性情報である流動性情報と該イベントスペースの識別情報とが関連付けて蓄積された蓄積情報を参照し、イベントを行う際に使用する最適なイベントスペースを選択して提示するマーケティング支援方法であって、前記蓄積情報を記憶する蓄積情報記憶工程と、前記イベントスペースの属性情報を前記識別情報に関連付けて管理するイベントスペース属性管理工程と、前記イベントスペースを選択するための選択条件を入力させるための選択条件入力工程と、前記選択条件入力工程に入力された前記選択条件に合致するイベントスペースを選択するイベントスペース選択工程と、前記イベントスペース選択工程により選択されたイベントスペースの識別情報に基づき、前記イベントスペース属性管理工程を参照して、該イベントスペースに対応する属性情報を取得して表示するイベントスペース属性情報取得提示工程とを含んだことを特徴とする。
【発明の効果】
【００３５】
本発明によれば、過去に蓄積されたコンテンツ媒体の前面を通過した人物、さらには該コンテンツ媒体を注視する人物の流動性情報に基づいて、選択条件に一致又は最も近いコンテンツ媒体を選択して提示することができ、広告を設置する最適な広告看板を提案するマーケティング業務を効率的に支援することが可能になるという効果を奏する。
【００３６】
また、本発明によれば、コンテンツ媒体設置場所情報を選択条件として、該選択条件に一致又は最も近いコンテンツ媒体を選択して提示することができ、広告を設置する最適な広告看板を提案するマーケティング業務を効率的に支援することが可能になるという効果を奏する。
【００３７】
また、本発明によれば、コンテンツ媒体設置場所に対応する天候情報を選択条件として、該選択条件に基づいてコンテンツ媒体を選択して提示することができ、広告を設置する最適な広告看板を提案するマーケティング業務を効率的に支援することが可能になるという効果を奏する。
【００３８】
また、本発明によれば、コンテンツ媒体により宣伝される商品の商品種別を選択条件として、該選択条件に基づいてコンテンツ媒体を選択して提示することができ、広告を設置する最適な広告看板を提案するマーケティング業務を効率的に支援することが可能になるという効果を奏する。
【００３９】
また、本発明によれば、コンテンツ媒体の識別情報に対応させてコンテンツ媒体の設置場所、広告面面積、出稿料金及びコンテンツ媒体と一体的に使用可能な他のコンテンツ媒体に関する情報が記憶されているので、選択されたコンテンツ媒体に対して、設置場所、広告面面積、出稿料金及びコンテンツ媒体と一体的に使用可能な他のコンテンツ媒体に関する情報を提示でき、広告を設置する最適な広告看板を提案するマーケティング業務を効率的に支援することが可能になるという効果を奏する。
【００４０】
また、本発明によれば、コンテンツ媒体利用可能状況情報を記憶することによって、どの広告看板がいつ利用可能であるかの情報や、どの広告看板が過去にどの利用者によって利用されたかの履歴を参照することができ、広告を設置する最適な広告看板を提案するマーケティング業務を効率的に支援することが可能になるという効果を奏する。
【００４１】
また、本発明によれば、コンテンツ媒体利用可能状況情報に基づいてコンテンツ媒体を選択して提示することができ、広告を設置する最適な広告看板を提案するマーケティング業務を効率的に支援することが可能になるという効果を奏する。
【００４２】
また、本発明によれば、コンテンツ媒体の利用開始時期及び利用期間を再設定して条件に合致するコンテンツ媒体を再選択可能とすることができるので、所望の利用開始時期及び利用期間に合致するコンテンツ媒体が選択されなかった場合にも、利用開始時期及び利用期間を変更することによって、コンテンツ媒体が選択されるようにすることが可能となるという効果を奏する。
【００４３】
また、本発明によれば、選択条件に合致したコンテンツ媒体の利用予約又は利用契約処理までを当該マーケティング支援装置において一貫して行うことが可能となり、当該マーケティング支援装置の利用者の利便性を向上させることができるという効果を奏する。
【００４４】
本発明によれば、過去に蓄積されたコンテンツ媒体の前面を通過した人物、さらには該コンテンツ媒体を注視する人物の流動性情報を分析した分析結果を提示することができ、広告を設置する最適な広告看板を提案するマーケティング業務を効率的に支援することが可能になるという効果を奏する。
【００４５】
また、本発明によれば、コンテンツ媒体設置場所に対応する天候情報を選択条件として、該選択条件に基づいてコンテンツ媒体を選択し、該選択されたコンテンツ媒体の前面を通過した人物、さらには該コンテンツ媒体を注視する人物の流動性情報を分析した分析結果を提示することができ、広告を設置する最適な広告看板を提案するマーケティング業務を効率的に支援することが可能になるという効果を奏する。
【００４６】
また、本発明によれば、コンテンツ媒体設置区域の条件を再選択条件として、該再選択条件に基づいてコンテンツ媒体を選択し、該再選択されたコンテンツ媒体の前面を通過した人物、さらには該コンテンツ媒体を注視する人物の流動性情報を分析した分析結果を提示することができ、広告を設置する最適な広告看板を提案するマーケティング業務を効率的に支援することが可能になるという効果を奏する。
【００４７】
本発明によれば、過去に蓄積されたイベントスペースにおいて流動した人物、さらには該イベントスペースにおいてイベントを注視する人物の流動性情報に基づいて、選択条件に一致又は最も近いイベントを選択して提示することができ、イベントを実施する最適なイベントスペースを提案するマーケティング業務を効率的に支援することが可能になるという効果を奏する。
【００４８】
また、本発明によれば、過去に蓄積されたイベントスペースにおいて流動した人物、さらには該イベントスペースにおいてイベントを注視する人物の流動性情報を分析した分析結果を提示することができ、イベントを実施する最適なイベントスペースを提案するマーケティング業務を効率的に支援することが可能になるという効果を奏する。
【００４９】
また、本発明によれば、イベントスペース設置場所情報を選択条件として、該選択条件に一致又は最も近いイベントスペースを選択して提示することができ、イベントを実施する最適なイベントスペースを提案するマーケティング業務を効率的に支援することが可能になるという効果を奏する。
【００５０】
また、本発明によれば、イベントスペース設置場所に対応する天候情報を選択条件として、該選択条件に基づいてイベントスペースを選択して提示することができ、イベントを実施する最適なイベントスペースを提案するマーケティング業務を効率的に支援することが可能になるという効果を奏する。
【００５１】
また、本発明によれば、イベントスペースの識別情報に対応させてイベントスペースの設置場所、イベントスペース面積及び利用料金に関する情報が記憶されているので、選択されたイベントスペースに対して、設置場所、広告面面積及び利用料金に関する情報を提示でき、イベントを実施する最適なイベントスペースを提案するマーケティング業務を効率的に支援することが可能になるという効果を奏する。
【００５２】
また、本発明によれば、イベントスペース利用可能状況情報を記憶することによって、どのイベントスペースがいつ利用可能であるかの情報や、どのイベントスペースが過去にどの利用者によって利用されたかの履歴を参照することができ、イベントを実施する最適なイベントスペースを提案するマーケティング業務を効率的に支援することが可能になるという効果を奏する。
【００５３】
また、本発明によれば、イベントスペース利用可能状況情報に基づいてイベントスペースを選択して提示することができ、イベントを実施する最適なイベントを提案するマーケティング業務を効率的に支援することが可能になるという効果を奏する。
【００５４】
また、本発明によれば、イベントスペースの利用開始時期及び利用期間を再設定して条件に合致するイベントスペースを再選択可能とすることができるので、所望の利用開始時期及び利用期間に合致するイベントスペースが選択されなかった場合にも、利用開始時期及び利用期間を変更することによって、イベントスペースが選択されるようにすることが可能となるという効果を奏する。
【００５５】
また、本発明によれば、イベントスペースにおいて実施されるイベントの種別又は該イベントが対象とする商品の種別を選択条件として、該選択条件に基づいてイベントスペースを選択して提示することができ、イベントを設置する最適なイベントスペースを提案するマーケティング業務を効率的に支援することが可能になるという効果を奏する。
【００５６】
また、本発明によれば、選択条件に基づいて選択して提示されるイベントスペースとともに該イベントスペース設置区域における商品の流行特性の過去情報及び将来情報を表示可能となるので、商品の流行特性の過去情報及び将来情報に基づいて、当該イベントスペース設置区域において実施する最適なイベントを選択することが可能路なるという効果を奏する。
【００５７】
また、本発明によれば、選択条件に合致したイベントスペースの利用予約又は利用契約処理までを当該マーケティング支援装置において一貫して行うことが可能となり、当該マーケティング支援装置の利用者の利便性を向上させることができるという効果を奏する。
【発明を実施するための最良の形態】
【００５８】
以下に添付図面を参照して、本発明のマーケティング支援装置及びマーケティング支援方法に係る好適な実施例を詳細に説明する。なお、以下に示す実施例１〜３では、本発明を、広告看板を注視する人物又はイベントスペースにおいて流動する人物の属性を収集したデータベースを参照して、広告を設置するため又はイベントを開催するために好適な広告看板又はイベントスペースを選択して提示するマーケティング支援装置及びマーケティング支援方法に適用した場合を示すこととする。
【００５９】
先ず、以下に実施例１〜３の説明に先立って、本発明の特徴について説明する。図１は、本発明の特徴を示す図である。同図では、例えば、本発明を、広告看板を注視する人物の属性を収集したデータベースを参照して、広告を設置するために好適な広告看板を選択して提示するマーケティング支援装置及びマーケティング支援方法に適用した場合を示している。
【００６０】
図１に示すように、“商品カテゴリ”が“食品”であり、“商品名”が“ケーキ”の広告宣伝を目的とする広告が掲示される広告看板に対する、該広告看板を見ることができる可視エリア「広告看板エリア」において流動する人物（通行人）の注目を検知して情報を蓄積する。同図では、２０歳台男性で青色の服装の人物Ａ、４０歳台女性で赤色の服装の人物Ｂ、５０台男性で茶色の服装の人物Ｃ、及び、１０台男性で黄色の服装の人物Ｄが広告看板エリア内に存在している。そして、人物Ａ〜Ｄのうち、人物Ａ及び人物Ｃが、広告看板に視線を向けている。
【００６１】
このような通行人の属性を収集したものをデータベース（以下、ＤＢと略機する場合がある）に記憶することができる。即ち、ＤＢテーブルには、“広告看板識別子”、“広告看板設置場所”、“広告看板設置地区”、“最寄駅”、“商品カテゴリ”、“店舗位置”、“商品名”、“通行人ＩＤ”、“通過検出時刻”、“注視開始検出時刻”、“年代”、“性別”、“服装”のカラムがあり、これらの項目について、人物単位でレコードを記録していくこととなる。
【００６２】
この様にして前述のＤＢテーブルに記録されたレコードのデータから、どの様な広告看板の前をどのような属性を持つ人物が通過し、そのうちでどのような属性を持つ人物が該広告看板に対して注視したか、その通過と注視の時刻は何時であるかなどの情報が得られる。この様にして蓄積されたデータを分析することによって、どの地区、位置に設置された、どの商品の宣伝を行う広告が、どの年代の人物、どの色の服装をした人物に、どれほどの割合で注視されるかを分析することができる。
【００６３】
また、広告看板の設置場所、広告看板が広告する商品カテゴリ、通行人属性及び広告看板を注視した人物の属性の互いの相関関係を推定することができる。この分析によると、ある商品の宣伝広告を出稿したい場合に、商品のカテゴリ、ターゲットとする年代、性別、服装の色から、どの地区、どの場所に設置されている広告看板に出稿することが効果的であるかが推定できる。
【００６４】
よって、この分析方法を用いて、これから広告を出稿しようとする出稿主に対して、どの場所にあるどの広告看板に出稿することが、商品カテゴリ、商品名、宣伝対象のターゲット人物層を考慮して、過去の蓄積データからするとより効果的であるとアピールすることが可能となる。この広告看板の選択に関するアピールが、本発明が目的とするマーケティング業務、コンサルティング業務である。
【００６５】
なお、広告看板に限らず、イベントスペースに関しても、同様のデータ蓄積、分析、マーケティング手法を取ることができる。即ち、前述の“広告看板”を全て“イベントスペース”と読み替えることによって、これからイベントを開催しようとする主催者に対して、どの場所にあるどのイベントスペースにおいてイベントを開催することが、イベントカテゴリ、イベント名、イベント参加のターゲット人物層を考慮して、過去の蓄積データからするとより効果的であるとアピールできる。
【実施例１】
【００６６】
以下に、図２〜１２を参照して、本発明のマーケティング支援装置及びマーケティング支援方法に係る実施例１を示す。実施例１は、広告看板の前面の広告看板エリアを通過する人物をカメラで撮像し、撮像された画像を分析して広告看板エリアを通過する人物の属性（性別、年齢、服装の色など）と、該広告看板への注視の有無を検知してＤＢに記録したデータをマーケティング支援端末装置を使用して分析することによって、宣伝広告を出稿する際に、商品のカテゴリ、ターゲットとする年代、性別、服装の色から、どの地区、どの場所に設置されている広告看板に出稿することがより効果的であるかのマーケティングを行うことを可能とする実施例である。
【００６７】
先ず、実施例１のマーケティング支援システムのシステム構成について説明する。図２は、実施例１のマーケティング支援システムのシステム構成を示すシステム構成図である。同図に示すように、マーケティング支援システムは、少なくとも一台のマーケティング支援端末装置１００と、カメラ２５０ａ、２５０ｂ及び２５０ｃが接続された少なくとも一台のシステムサーバ２００と、流動属性ＤＢ３０２ａを有する集計センタサーバ３００とを有して構成される。
【００６８】
カメラ２５０ａ、２５０ｂ及び２５０ｃは、広告看板ｋの前面の広告看板エリアを通過する人物を撮像する。カメラ２５０ａは、広告看板ｋが据え付けられる面から広告看板エリアｒ1に存在する人物を撮像し、カメラ２５０ｂ及び２５０ｃは、通路上で対向する位置に配置され広告看板エリアｒ2に存在する人物を撮像する。
【００６９】
カメラ２５０ａ、２５０ｂ及び２５０ｃによって撮像された人物の画像は、システムサーバ２００において分析されて、広告看板エリアｒ1及びｒ2に存在する人物の性別、年齢、服装の色などの人物属性や、広告看板ｋを注視したか否かを判定される。この判定結果は、属性データとして集計センタサーバ３００に送信され、流動属性ＤＢ３０２ａの流動属性統計テーブルに記録される。流動属性ＤＢ３０２ａに蓄積される情報は、システムサーバ２００毎の人物単位の人物属性及び広告看板への注視状況である。
【００７０】
マーケティング支援端末装置１００は、流動属性ＤＢ３０２ａの流動属性統計テーブルの情報を、後述する天候ＤＢ３０２ｂの天候情報天候情報テーブルの情報とともに自端末配下の天候情報付流動属性ＤＢ１０２ｂに取り込んで参照する。そして、天候情報付流動属性ＤＢ１０２ｂに取り込んだ流動属性統計テーブルの情報及び天候情報天候情報テーブルの情報を参照した結果を分析してマーケティング支援を行うこととなる。
【００７１】
次に、図２に示したシステムサーバ２００の構成を説明する。図３は、図２に示したシステムサーバ２００の構成を示す機能ブロック図である。同図に示すように、システムサーバ２００は、制御部２０１と、記憶部２０２と、通行人物検出部２０３と、注視人物検出部２０４と、顔下領域判定処理部２０５と、キーボードやマウスなどの操作部２０９が接続される操作制御部２０６と、ディスプレイ装置などの表示部２１０が接続される表示制御部２０７と、外部とのデータ授受を制御するＩ／Ｆ部２０８とを有する。
【００７２】
制御部２０１はシステムサーバ２００全体の処理を制御する制御部である。具体的には、カメラ２５０ａ、２５０ｂ又は２５０ｃからＩ／Ｆ部２０８を介して画像データを受け取って通行人物検出部２０３、注視人物検出部２０４又は顔下領域判定処理部２０５へ受け渡す処理を行い、通行人物検出部２０３、注視人物検出部２０４又は顔下領域判定処理部２０５から出力される情報を記憶部２０２へ受け渡したりＩ／Ｆ部２１０を介して集計センタサーバ３００へ送信したりする処理を行う。若しくは操作部２０９が受け付け操作制御部２０６で所定入力信号に変換された所定操作信号の入力を契機として前述の各処理部に処理を実行させ、該各処理の処理結果を表示制御部２０７を介して表示部２１０へ表示させる処理を実行する。
【００７３】
記憶部２０２は、不揮発性の磁気的記録装置であり、後述の顔方向検出処理部２０４ｂにより広告看板を注視する顔方向であると判定される顔方向の判定基準を格納する注視判断基準２０２ａを有する。具体的には、顔領域の縦横比率を判定し、当該画像を撮影したカメラ２５０ａ、２５０ｂ又は２５０ｃと広告看板ｋとの位置関係と撮影された画像に含まれる顔の縦横比率とから判定して、顔方向が広告看板ｋを注視するものであるか否かを判断する。
【００７４】
例えばカメラ２５０ａが撮影した顔の場合、該カメラ２５０ａと広告看板ｋとが同一方向を向く位置関係にあることから、縦横比率が人間の顔本来の比率に近ければ近いほど該顔が広告看板を注視している可能性が高いことになる。他方で、カメラ２５０ｂ又はカメラ２５０ｃが撮影した顔の場合、該カメラ２５０ｂ又はカメラ２５０ｃと広告看板ｋとが垂直方向を向く位置関係にあることから、縦横比率が人間の顔本来の比率よりも縦長であればあるほど該顔が広告看板を注視している可能性が高いことになる。
【００７５】
通行人物検出部２０３は、カメラ２５０ａ、２５０ｂ又は２５０ｃにより撮影された画像のフレーム差分から動領域を検出する動領域検出部２０３ａと、該動領域が人物を示す矩形であるか否かを判定して人物を検出する人物検出部２０３ｂとを有する。
【００７６】
注視人物検出部２０４は、人物検出部２０３ｂにより検出された人物の矩形の動領域から顔に相当する矩形を取り出し、該矩形が顔であるか否かを判定することによって顔を検出する顔検出処理部２０４ａと、顔検出処理部２０４ａにより検出された顔が向いている顔方向を検出する顔方向検出処理部２０４ｂとを有する。
【００７７】
人物検出部２０３ｂ及び顔検出処理部２０４ａは、同一人物を重複して検出することを防止するため、検出済みの人物の画像データにフラグを立て、フラグが立っている人物は検出を行わないフラグ制御を行う。このフラグ制御によれば、新たに検出された人物にはフラグが立っておらず、既に検出済みの人物にはフラグが立っているため、新たに検出された人物と既に検出済みの人物とを区別することができる。
【００７８】
顔下領域判定処理部２０５は、顔検出処理部２０４ａにより顔領域が検出された人物の顔以外の人体領域の属性を判定して基調となる色を判定する。即ち、ここで判定される色は、主に当該人物が着用する衣服の色調となる。顔下領域判定処理部２０５は、判定結果を集計センタサーバ３００へ送信する。
【００７９】
次に、図２に示した集計センタサーバ３００の構成について説明する。図４は、図２に示した集計センタサーバ３００の構成を示す機能ブロック図である。同図に示すように、集計センタサーバ３００は、制御部３０１と、記憶部３０２と、広告看板設置位置情報登録部３０３と、通過検出時刻登録部３０４と、注視検出時刻登録部３０５と、通行人年代登録部３０６と、通行人性別登録部３０７と、通行人顔下属性登録部３０８と、キーボードなどの操作部３１２が接続される操作制御部３０９と、ディスプレイ装置などの表示部３１３が接続される表示制御部３１０と、外部とのデータ授受を制御するＩ／Ｆ部３１１とを有する。
【００８０】
制御部３０１は、集計センタサーバ３００全体の処理を制御する制御部である。具体的には、制御部３０１は、システムサーバ２００からＩ／Ｆ部３１１を介して属性データを受け取って通過検出時刻登録部３０４、注視検出時刻登録部３０５、通行人年代登録部３０６、通行人性別登録部３０７又は通行人顔下属性登録部３０８とへ受け渡す処理を行う。
【００８１】
記憶部３０２は、不揮発性の磁気的記録装置であり、広告看板識別子、広告看板設置場所、広告看板設置地区、最寄駅、当該広告が宣伝対象とする商品が販売される店舗位置、当該広告が宣伝対象とする商品の商品カテゴリ、商品名、人物単位の通行人ＩＤ、当該人物の通過検出時刻、当該人物の注視開始検出時刻、当該人物の年代、当該人物の性別、当該人物の服装の色を登録する流動属性ＤＢ３０２ａを有する。この流動属性ＤＢ３０２ａには人物単位に１レコードが生成される。
【００８２】
広告看板設置位置情報登録部３０３は、属性データの授受を契機として、当該広告看板の広告看板識別子、広告看板設置場所、広告看板設置地区、最寄駅、当該広告が宣伝対象とする商品が販売される店舗位置、及び、当該広告が宣伝対象とする商品の商品カテゴリ、商品名を属性データに付加して流動属性ＤＢ３０２ａに登録させるものである。
【００８３】
通過検出時刻登録部３０４は、システムサーバ２００から送信されてくる属性データから人物が通過人物として検知された時刻を流動属性ＤＢ３０２ａに登録する。注視検出時刻登録部３０５は、システムサーバ２００から送信されてくる属性データから人物が広告看板を注視する顔方向であると検知された時刻を流動属性ＤＢ３０２ａに登録する。
【００８４】
なお、通過検出時刻登録部３０４及び注視検出時刻登録部３０５は、人物単位で時刻の登録を行う。即ち、トラッキングにより追跡された複数の連続する画像フレームに含まれる通行人物又は注視人数のうち同一人物であると見なされる人物単位に通過検知時刻及び注視検出時刻が流動属性ＤＢ３０２ａに登録される。
【００８５】
通行人年代登録部３０６は、当該人物の属性データに基づき当該人物の年代を流動属性ＤＢ３０２ａに登録する。また通行人性別登録部３０７は当該人物の属性データに基づき当該人物の性別を流動属性ＤＢ３０２ａに登録する。
【００８６】
通行人顔下属性登録部３０８は、システムサーバ２００から送信されてきた属性データに基づき当該人物の顔下領域の色を流動属性ＤＢ３０２ａに登録する。なお、通過検出時刻登録部３０４、注視検出時刻登録部３０５及び通行人顔下属性登録部３０８は、人物単位で時刻の登録を行う。即ち、トラッキングにより追跡された複数の連続する画像フレームに含まれる通行人物又は注視人数のうち同一人物であると見なされる人物単位に通過検知時刻、注視検出時刻及び顔下属性が流動属性ＤＢ３０２ａに登録される。
【００８７】
次に、天候情報付流動属性ＤＢ１０２ｂについて説明する。図５は、流動属性ＤＢ３０２ａと天候ＤＢ３０２ｂとから天候情報付流動属性ＤＢ１０２ｂが生成される概要を示す図である。天候ＤＢ３０２ｂは、天候情報テーブルを有するＤＢである。流動属性ＤＢ３０２ａから天候情報付流動属性ＤＢ１０２ｂへ流動属性統計テーブルが取り込まれ、天候ＤＢ３０２ｂから天候情報付流動属性ＤＢ１０２ｂへ天候情報テーブルが取り込まれることにより、天候情報付流動属性ＤＢ１０２ｂが流動属性統計テーブル及び天候情報テーブルを有することとなる。
【００８８】
流動属性統計テーブルは、流動性情報を記憶するテーブルであり、“広告看板識別子”と、“広告看板設置場所”と、“広告看板設置地区”と、“最寄駅”と、“店舗位置”と、“商品カテゴリ”と、“商品名”と、“通行人ＩＤ”と、“通過検出時刻”と、“注視開始検出時刻”と、“年代”と、“性別”と、“服装”とのカラムを有する。
【００８９】
“広告看板識別子”は、流動属性統計テーブルにおいて当該広告看板の個体を識別する情報である。“広告看板設置場所”は、当該広告看板の設置場所に関する情報である。“広告看板設置地区”は、当該広告看板が設置される地区に関する情報である。“最寄駅”は、当該広告看板が設置される場所の最寄駅に関する情報である。“店舗位置”は、当該広告看板が宣伝対象とする商品が販売される店舗の位置に関する情報である。“商品カテゴリ”は、当該広告看板に掲示される広告が宣伝目的とする商品の分類に関する情報である。“商品名”は、該広告看板に掲示される広告が宣伝目的とする商品の商品名に関する情報である。
【００９０】
“通行人ＩＤ”は、広告看板エリアを通過したことが検出された人物を一意に識別するための識別情報である。“通過検出時刻”は、“通行人ＩＤ”で識別された人物が広告看板エリアを通過したことが検出された日時を示す情報である。“注視開始検出時刻”は、広告看板エリアを通過した人物が広告看板ｋに対して注視を開始したことが検出された場合の該検出の日時を示す情報である。なお、ある人物が広告看板エリアを通過したことが検知され、“通過検知時刻”が登録されたとしても、該広告看板ｋへの注視が検出されなかった場合には、“注視開始検出時刻”には“ＮＵＬＬ”値が格納されることとなる。これによって、広告看板エリアを通過した場合に該広告看板ｋを注視したか否かを識別することが可能となる。
【００９１】
“年代”は、広告看板エリアを通過した人物の顔を判定して推定した当該人物の年齢の区分の推定値である。人物の“年代”は、実施例１では、例えば、「ローティーン（１０歳〜１５歳）」、「ミドルティーン（１６歳〜１７歳）」、「カレッジ（１８歳〜２４歳）」、「２０歳台後半（２５歳〜２９歳）」、「３０歳台（３０歳〜３９歳）」、「４０歳台（４０歳〜４９歳）」、「５０歳台（５０歳〜５９歳）」、「６０歳台以降（６０歳以上）」のように区分される。なお、年齢の区分は、この例示の区分に限らず、統計目的に応じて自由に設定変更可能である。“性別”は、広告看板エリアを通過した人物の性別に関する情報である。“服装”は、広告看板エリアを通過した人物の服装の色に関する情報である。
【００９２】
天候情報テーブルは、“地区区分”と、“日時”と、“天候”とのカラムを有する。この天候情報テーブルに格納される情報は、天候情報を提供する第三者機関から入手可能な、過去の天候記録の情報である。
【００９３】
“地区区分”は、当該天候情報が観測された地区に関する情報である。“地区区分”は、流動属性統計テーブルの“広告看板設置地区”に相当し、両者を関連付けることによって、天候情報と関連付けられた流動属性が取得可能となる。
【００９４】
“日時”は、当該天候情報が観測された日時を、例えば１時間単位で表す情報である。“日時”は、１時間単位に限らず、より短い時間単位とすることにより、よりきめ細やかに天候情報と関連付けられた流動属性が利用可能となる。“天候”は、当該天候情報の天候を示す情報である。
【００９５】
また、天候情報は、実施例１では天気としたが、これに限らず、気温又は湿度といった、一般に利用可能な気象情報を広く含むこととしてよい。
【００９６】
次に、図２に示したマーケティング支援端末装置の構成について説明する。図６は、図２に示したマーケティング支援端末装置１００の構成を示す機能ブロック図である。同図に示すように、マーケティング支援端末装置１００は、制御部１０１と、記憶部１０２と、ディスプレイ装置などに表示されるＧＵＩ（Graphical User Interface）である抽出条件入力部１０６を制御する抽出条件入力制御部１０３と、同様にディスプレイ装置などに表示されるＧＵＩである条件検索結果表示部１０７を制御する条件検索結果表示制御部１０５とを有する。
【００９７】
制御部１０１は、マーケティング支援端末装置１００全体の制御を司る。記憶部１０２は、広告面ＤＢ１０２ａと、天候情報付流動属性ＤＢ１０２ｂと、天候予報ＤＢ１０２ｃとを有する。広告面ＤＢ１０２ａは、後述の広告看板管理情報テーブルと広告看板利用状況テーブルとを格納するデータベースである。また、天候予報ＤＢ１０２ｃは、将来の天候の予報情報を格納するが、この予報情報は、天候情報と同様に第三者機関から入手可能である。
【００９８】
なお、広告面ＤＢ１０２ａ、天候情報付流動属性ＤＢ１０２ｂ、天候予報ＤＢ１０２ｃは、マーケティング支援端末装置１００の外部に配置されてもよい。例えば、専用のＤＢサーバに配置されてもよいし、集計センタサーバ３００の配下に配置されることとしてもよい。このように、天候情報付流動属性ＤＢ１０２ｂ、天候予報ＤＢ１０２ｃがマーケティング支援端末装置１００の外部に配置される場合は、クライアント／サーバシステム又はＷｅｂサービスシステムで実現されるデータベース問い合わせ・結果返却のプロセスを取ることとなる。
【００９９】
抽出条件入力制御部１０３は、抽出条件入力部１０６に入力された抽出条件から問い合わせ文を生成する制御部である。条件検索処理部１０４は、抽出条件入力制御部１０３により生成された問い合わせ文を基に記憶部１０２の各データベースに問い合わせを行う。そして該問い合わせ文で規定される条件に合致するデータを問い合わせ結果として各データベースから取得する。条件検索結果表示制御部１０５は、条件検索処理部１０４が取得した問い合わせ結果を条件検索結果表示部１０７に表示させる制御を行う。
【０１００】
次に、図６に示した広告面ＤＢ１０２ａに格納される広告看板管理情報テーブルについて説明する。図７は、図６に示した広告面ＤＢ１０２ａに格納される広告看板管理情報テーブルのイメージ図である。広告看板管理情報テーブルは、“広告看板識別子”と、“設置地区区分”と、“広告面面積”と、“料金”と、“ネットワークボード”と、“設置場所管理者”とのカラムを有する。
【０１０１】
“広告看板識別子”は、広告看板を識別するための一意の識別情報である。広告看板管理情報テーブルの“広告看板識別子”は、流動属性統計テーブルの“広告看板識別子”と同一の情報であり、両者を関連付けることによって、流動属性が示される広告看板の詳細情報（当該広告看板が設置される地区の情報である設置地区区分、当該広告看板の看板面積である広告面面積、当該広告看板に広告を出稿するために必要な料金、当該広告看板と一体的に連携させて使用することができるネットワークボード、当該広告看板及び設置場所の管理業者である設置場所管理者などの情報）を取得することが可能となる。
【０１０２】
“設置地区区分”は、当該広告看板が設置される地区に関する情報である。広告看板管理情報テーブルの“設置地区区分”は、流動属性統計テーブルの“広告看板設置地区”と同一の情報であり、両者を関連付けることが可能である。“設置地区区分”によって、選択候補となりうる広告看板を絞り込むことが可能となる。
【０１０３】
“広告面面積”は、当該広告看板の広告面の面積を示す情報である。“広告面面積”によって、選択候補となりうる広告看板を絞り込むことが可能となる。“ネットワークボード”は、当該広告看板と一体的に連携して使用可能な他の広告看板を示す情報である。この情報に基づき、当該広告看板と一体的に連携して使用可能な他の広告看板も選択可能となる。“設置場所管理者”は、当該広告看板の設置場所及び広告看板自体の管理者を示す情報である。
【０１０４】
次に、図６に示した広告面ＤＢ１０２ａに格納される広告看板利用状況テーブルについて説明する。図８は、図６に示した広告面ＤＢ１０２ａに格納される広告看板利用状況テーブルのイメージ図である。広告看板利用状況テーブルは、“広告看板識別子”と、一定期間に属する過去及び将来の年月とのカラムを有する。
【０１０５】
この広告看板利用状況テーブルには、広告看板識別子で特定される広告看板に対する１ヶ月単位の利用状況が記憶されている。ある月において当該広告看板の利用があった場合は当該利用者の名称を記憶し、利用がなかった場合は“空き”を記憶している。例えば、“広告看板識別子”が“33”の広告看板は、“2006年1月”及び“2006年2月”においては“Ａ株式会社”の利用があることが記憶されている。また、“2006年3月”、“2006年６月”及び“2006年７月”においては利用者が無く“空き”であることが記憶されている。また、“2006年4月”及び“2006年5月”においては“Ｄ株式会社”の利用があることが記憶されている。
【０１０６】
また、例えば、“広告看板識別子”が“54”である広告看板は、“2006年3月”に“保守予定”と記憶されていることから、当該年月において保守作業が行われることが示されている。このように、一定期間に属する年月における広告看板の利用状況や保守状況を時系列で記憶することによって、現在年月の過去の利用状況及び将来の利用状況若しくは将来の保守予定を一元的に把握可能となる。過去の利用状況は、過去にどの利用者が利用したかの蓄積情報となり、将来の利用状況若しくは将来の保守予定は、将来どの利用者が利用予定であるか、若しくは将来において、どの広告看板がいつ利用可能であり、保守予定であるかを示し、利用予約又は利用契約することが可能であるかを明確にすることができる。
【０１０７】
次に、図２に示したマーケティング支援システムのマーケティング支援端末装置１００における広告看板設置位置提案処理手順について説明する。図９は、図２に示したマーケティング支援システムのマーケティング支援端末装置１００における広告看板設置位置提案処理手順を示すフローチャートである。同図に示すように、先ず、検索条件の受け付けを行う（ステップＳ１０１）。続いて、受け付けられた検索条件に一致するデータを取得し（ステップＳ１０２）、得られたデータを表示する（ステップＳ１０３）。
【０１０８】
次に、検索条件を再設定するか否かを判定し（ステップＳ１０４）、再設定する場合は（ステップＳ１０４肯定）、ステップＳ１０１へ処理を移し、再設定しない場合は（ステップＳ１０４否定）、ステップＳ１０５へ処理を移す。
【０１０９】
次に、ステップＳ１０５では、ネットワーク詳細情報の表示が指示されたか否かを判定し、指示されたと判定される場合に（ステップＳ１０５肯定）、ネットワーク詳細情報を表示し（ステップＳ１０６）、指示されたと判定されなかった場合に（ステップＳ１０５否定）、ステップＳ１０７へ処理を移す。
【０１１０】
ステップＳ１０７では、ネットワークボードを指定して該ネットワークボードを予約又は契約するか否かを判定し、契約すると判定される場合に（ステップＳ１０７肯定）、予約・契約処理を実行し（ステップＳ１０８）、契約すると判定されない場合に（ステップＳ１０７否定）、ステップＳ１０９へ処理を移す。ステップＳ１０９では、広告看板設置位置提案処理を終了するか否かを判定し、終了すると判定される場合に（ステップＳ１０９肯定）、広告看板設置位置提案処理を終了し、終了すると判定されない場合に（ステップＳ１０９否定）、ステップＳ１０１へ処理を移す。
【０１１１】
次に、図９に示した広告看板設置位置提案処理手順において、抽出条件入力部１０６として表示画面に表示される検索条件入力画面について説明する。図１０は、図９に示した広告看板設置位置提案処理手順において、抽出条件入力部１０６として表示画面に最初に表示される検索条件入力画面のイメージ図である。同図に示すように、検索条件入力画面５０１は、広告対象とするターゲットの属性である年代を選択入力させるプルダウンメニューである年代プルダウンメニュー５０１ａと、同じく広告対象とするターゲットの属性である性別を選択入力させるプルダウンメニューである性別プルダウンメニュー５０１ｂと、広告対象の商品の属性である商品カテゴリを選択入力させるプルダウンメニューである商品カテゴリプルダウンメニュー５０１ｃと、同じく広告対象の商品の属性である当該商品の販売店舗の位置情報である店舗位置を選択入力させるプルダウンメニューである商品カテゴリプルダウンメニュー５０１ｄと、当該広告の設置時期の情報である設置開始時期を選択入力させる設置開始プルダウンメニュー５０１ｅと、同じく当該広告の設置時期の情報である設置期間を選択入力させる設置期間プルダウンメニュー５０１ｆと、入力された条件に基づいた検索処理を開始させるための検索ボタン５０１ｇと、検索条件入力を終了させるためのキャンセルボタン５０１ｈとを有する。
【０１１２】
なお、これらのプルダウンメニューは、選択候補のリストから検索条件を選択入力させるものであるが、一定の入力規則に則って直接入力可能であるとしてもよい。
【０１１３】
次に、図９に示した広告看板設置位置提案処理手順において、条件検索結果表示部１０７として表示画面に表示される検索結果表示画面について説明する。図１１は、図９に示した広告看板設置位置提案処理手順において、条件検索結果表示部１０７として検索条件入力画面に続いて表示画面に表示される検索結果表示画面のイメージ図である。同図に示すように、検索結果表示画面５０２は、設置場所候補リスト表示部５０２ａと、詳細情報表示部５０２ｂと、天候設定プルダウンメニュー５０２ｃと、設置時期再設定メニューの設置開始プルダウンメニュー５０２ｄと、同じく設置時期再設定メニューの設置期間プルダウンメニュー５０２ｅと、天候予測表示部５０２ｆと、再検索ボタン５０２ｇと、ネットワークボード表示ボタン５０２ｈと、予約・契約ボタン５０２ｉとを有する。
【０１１４】
設置場所候補リスト表示部５０２ａは、検索条件に一致する又はある一定範囲内で検索条件に近い広告看板の候補を、条件に近い順番にソートして表示する。また、設置場所の空き状況や次に空く時期もアイコン等で表示する。
【０１１５】
詳細情報表示部５０２ｂは、設置場所候補リスト表示部５０２ａにおいて選択されている広告看板に関する利用状況、保守予定、過去の利用者情報、広告面積、流動属性の広告毎のランキング、利用料金などを表示する。
【０１１６】
天候設定プルダウンメニュー５０２ｃは、再検索条件として天候条件を設定するためのものである。ここに設定された天候条件に基づいて、設置場所候補リスト表示部５０２ａに表示される広告看板のリストを絞り込むことが可能となる。
【０１１７】
設置開始プルダウンメニュー５０２ｄは、再検索条件として広告看板の設置開始時期を再設定するためのものである。また、設置期間プルダウンメニュー５０２ｅは、再検索条件として広告看板の設置期間を再設定するためのものである。
【０１１８】
天候予測表示部５０２ｆは、過去の天候データと天候予報データとから気象予測データの一覧を表示するものである。ここに表示される気象データを参考にして、天候設定プルダウンメニュー５０２ｃに天候を入力することとなる。
【０１１９】
天候設定プルダウンメニュー５０２ｃ、設置開始プルダウンメニュー５０２ｄ、又は設置期間プルダウンメニュー５０２ｅに検索条件が設定された場合に、再検索ボタン５０２ｇを押下することによって、広告看板を再検索することが可能となる。
【０１２０】
また、設置場所候補リスト表示部５０２ａにおいて一つの広告看板が選択されている状態でネットワークボード表示ボタン５０２ｈが押下されたならば、該広告看板及び該広告看板に関連するネットワークボードを一覧表示するネットワークボード表示画面が表示される。
【０１２１】
設置場所候補リスト表示部５０２ａにおいて一つの広告看板が選択されている状態で予約・契約ボタン５０２ｉが押下されたならば、当該広告看板の利用予約又は利用契約を締結することが可能である。予約・契約ボタン５０２ｉが押下されることによって、利用者の情報を入力させる画面を表示させ、予約確認書類又は利用契約書を作成する処理を行うこととしてもよい。
【０１２２】
次に、図９に示した広告看板設置位置提案処理手順において、条件検索結果表示部１０７として表示画面に表示されるネットワークボード表示画面について説明する。図１２は、図９に示した広告看板設置位置提案処理手順において、条件検索結果表示部１０７としてネットワークボード表示ボタン５０２ｈの押下に応じて検索結果表示画面とは別ウィンドウで表示画面に表示されるネットワークボード表示画面のイメージ図である。
【０１２３】
同図に示すように、ネットワークボード表示画面５０３は、ネットワークボード一覧表示部５０３ａと、詳細情報表示部５０３ｂと、料金表示部５０３ｃと、予約・契約ボタン５０３ｄと、閉じるボタン５０３ｅとを有する。
【０１２４】
ネットワークボード一覧表示部５０３ａは、検索結果表示画面５０２の設置場所候補リスト表示部５０２ａにおいて選択されている一つの広告看板に関連するネットワークボードを一覧表示するための表示部である。
【０１２５】
詳細情報表示部５０３ｂは、ネットワークボード一覧表示部５０３ａにおいて選択されている広告看板に関する利用状況、保守予定、過去の利用者情報、広告面積、流動属性の広告毎のランキング、管理会社などを表示する。
【０１２６】
料金表示部５０３ｃは、ネットワークボード一覧表示部５０３ａで選択されているネットワークボードの利用料金の合計料金を表示するための表示部である。
【０１２７】
ネットワークボード一覧表示部５０３ａにおいて一つ又は複数の広告看板が選択されている状態で予約・契約ボタン５０３ｄが押下されたならば、当該広告看板の利用予約又は利用契約を締結することが可能である。予約・契約ボタン５０３ｄが押下されることによって、利用者の情報を入力させる画面を表示させ、予約確認書類又は利用契約書を作成する処理を行うこととしてもよい。
【０１２８】
閉じるボタン５０３ｅが押下されると、当該ネットワークボード表示画面５０３が閉じられ、表示消去される。
【０１２９】
このように、より広告の効果を高めうるネットワークボードを提示して予約・契約可能とすることにより、ある広告看板に可憐するその他のネットワークボードの予約・契約をも促進することとなり、広告看板の利用促進を図ることができる。以って、広告看板の利用料金による売り上げの向上を図ることができる。
【０１３０】
実施例１では、広告看板選択条件として、広告がターゲットとする人物の年代や性別、広告対象の商品の商品カテゴリや商品販売店舗地区情報、広告設置開始時期や広告設置期間などを選択条件として最適な広告看板を選択することとしたが、これに限らず、流動属性統計テーブルのレコードうち、全ての通過人物のレコードに対する広告看板注視開始時刻がセットされているレコードの比率から注視率を算出し、該注視率がより高い広告看板を選択して、広告を掲載するに最適な広告看板として選択提示することとしてもよい。これにより、より効率的に注視を得ることができる広告看板を提案することができる。
【０１３１】
実施例１のマーケティング支援端末装置１００は、広告面ＤＢ１０２ａと、天候情報付流動属性ＤＢ１０２ｂと、天候予報ＤＢ１０２ｃとを有し、これらのＤＢから、広告宣伝を行うターゲット層の年代や性別、商品カテゴリや店舗位置、広告看板の設置開始時期や設置期間などの入力条件に合致する過去の流動属性情報を取得し、該取得した過去の流動属性情報に基づいて広告宣伝を行うに最適な広告看板を選択して提示し、広告看板の利用効率を高めるマーケティングを支援することを可能とした。また、データ収集にかかる人員コストの問題を回避し、多くの調査項目について調査可能とし、調査対象の属性判断において高い客観性を確保可能とした。
【実施例２】
【０１３２】
次に、図１３〜１７を参照して、本発明のマーケティング支援装置及びマーケティング支援方法に係る実施例２を示す。実施例２は、広告看板の前面の広告看板エリアを通過する人物をカメラで撮像し、撮像された画像を分析して広告看板エリアを通過する人物の属性（性別、年齢、服装の色など）と、該広告看板への注視の有無を検知してＤＢに記録したデータをマーケティング支援端末装置を使用して分析することによって、ターゲットとする年代、性別、地区属性から、当該条件に合致するデータに基づく服装の色の分析やグラフ表示を行うことを可能とする実施例である。
【０１３３】
実施例２のマーケティング支援システム、マーケティング支援端末装置１００、システムサーバ２００及び集計センタサーバ３００の構成は、基本的に実施例１と同一である。また、実施例２で使用する流動属性統計テーブル、天候情報テーブル及び広告看板管理情報テーブルは、実施例１のものと同一である。また、実施例１で使用した広告看板利用状況テーブルは、実施例２では使用しない。一方で、実施例２では、マーケティング支援端末装置１００の広告面ＤＢ１０２ａが、地区対応テーブルを有する。
【０１３４】
また、実施例２は、実施例１と比較して、マーケティング支援端末装置１００における検索処理手順が異なり、検索条件入力画面などの表示画面が異なる。この差異以外は、実施例２は実施例１と同一であるので、実施例２は、実施例１との差異部分についてのみ説明することとする。
【０１３５】
先ず、広告面ＤＢ１０２ａが有する地区対応テーブルについて説明する。図１３は、広告面ＤＢ１０２ａが有する地区対応テーブルのイメージ図である。同図に示すように、地区対応テーブルは、“地区区分”と、“半径ｘ[km]以内”と、“対応地区”とのカラムを有する。同図の例示に沿って説明を行うと、“地区区分”が“Ａ地区”には、当該“Ａ地区”を中心とした半径ｘ[km]の円内に存在する地区区分が対応付けられている。
【０１３６】
例えば、ｘ＝0.3[km]の場合は、“Ａ地区”を中心とする半径0.3[km]以内の円内に“Ｂ地区”が存在する。よって、広告看板を選択する際の選択条件として、「“Ａ地区”を中心とする半径0.3[km]以内の円内」が指定された場合には、検索対象として、“Ａ地区”とともに“Ｂ地区”も検索対象となる。さらに、ｘ＝0.5[km]の場合は、“Ａ地区”を中心とする半径0.5[km]以内の円内に“Ｃ地区”がさらに存在する。よって、広告看板を選択する際の選択条件として、「“Ａ地区”を中心とする半径0.5[km]以内の円内」が指定された場合には、検索対象として、“Ａ地区”とともに“Ｂ地区”及び“Ｃ地区”も検索対象となる。
【０１３７】
同様に、ｘ＝1.0[km]の場合は、“Ａ地区”を中心とする半径1.0[km]以内の円内に“Ｄ地区”などがさらに存在する。よって、広告看板を選択する際の選択条件として、「“Ａ地区”を中心とする半径1.0[km]以内の円内」が指定された場合には、検索対象として、“Ａ地区”とともに“Ｂ地区”、“Ｃ地区”及び“Ｄ地区”なども検索対象となる。その他、ｘ＝1.5[km]、2.0[km]、3.0[km]、4.0[km]、5.0[km]も図示の通りである。
【０１３８】
なお、“半径ｘ[km]以内”の区分として、図１３では、ｘ＝0.3[km]、0.5[km]、1.0[km]、1.5[km]、2.0[km]、3.0[km]、4.0[km]、5.0[km]を例示したが、あくまで一例に過ぎず、これに限られるものではない。
【０１３９】
次に、実施例２のマーケティング支援システムのマーケティング支援端末装置１００における地区服装属性分析グラフ表示処理手順について説明する。図１４は、実施例２のマーケティング支援システムのマーケティング支援端末装置１００における地区服装属性分析グラフ表示処理手順を示すフローチャートである。同図に示すように、先ず、検索条件の受け付けを行う（ステップＳ２０１）。続いて、受け付けられた検索条件に一致するデータを取得し（ステップＳ２０２）、得られたデータを表示する（ステップＳ２０３）。
【０１４０】
次に、検索条件を再設定するか否かを判定し（ステップＳ２０４）、再設定する場合は（ステップＳ２０４肯定）、ステップＳ２０１へ処理を移し、再設定しない場合は（ステップＳ２０４否定）、ステップＳ２０５へ処理を移す。
【０１４１】
次に、ステップＳ２０５では、グラフ表示の表示指示がされたか否かを判定し、指示されたと判定される場合に（ステップＳ２０５肯定）、グラフ表示を行い（ステップＳ２０６）、指示されたと判定されなかった場合に（ステップＳ２０５否定）、ステップＳ２０７へ処理を移す。
【０１４２】
ステップＳ２０７では、地区服装属性分析グラフ表示処理を終了するか否かを判定し、終了すると判定される場合に（ステップＳ２０７肯定）、広告看板設置位置提案処理を終了し、終了すると判定されない場合に（ステップＳ２０７否定）、ステップＳ２０１へ処理を移す。
【０１４３】
次に、図１４に示した地区服装属性分析グラフ表示処理手順において、抽出条件入力部１０６として表示画面に表示される検索条件入力画面について説明する。図１５は、図１４に示した地区服装属性分析グラフ表示処理手順において、抽出条件入力部１０６として表示画面に最初に表示される検索条件入力画面のイメージ図である。同図に示すように、検索条件入力画面６０１は、広告対象とするターゲットの属性である年代を選択入力させるプルダウンメニューである年代プルダウンメニュー６０１ａと、同じく広告対象とするターゲットの属性である性別を選択入力させるプルダウンメニューである性別プルダウンメニュー６０１ｂと、服装属性を分析したい地区の地区属性である地区区分プルダウンメニュー６０１ｃと、同じく服装属性を分析したい地区の地区属性である範囲プルダウンメニュー６０１ｄと、入力された条件に基づいた検索処理を開始させるための検索ボタン６０１ｅと、検索条件入力を終了させるためのキャンセルボタン６０１ｆとを有する。
【０１４４】
なお、これらのプルダウンメニューは、選択候補のリストから検索条件を選択入力させるものであるが、一定の入力規則に則って直接入力可能であるとしてもよい。
【０１４５】
次に、図１４に示した地区服装属性分析グラフ表示処理手順において、条件検索結果表示部１０７として表示画面に表示される検索結果表示画面について説明する。図１６は、図１４に示した地区服装属性分析グラフ表示処理手順において、条件検索結果表示部１０７として検索条件入力画面に続いて表示画面に表示される検索結果表示画面のイメージ図である。同図に示すように、検索結果表示画面６０２は、地区服装属性リスト表示部６０２ａと、天候設定プルダウンメニュー６０２ｂと、地区属性再設定メニューの地区区分プルダウンメニュー６０２ｃと、同じく地区属性再設定メニューの範囲（半径ｘ[km]以内）プルダウンメニュー６０２ｄと、天候予測表示部６０２ｅと、グラフ表示ボタン６０２ｆと、再検索ボタン６０２ｇとを有する。
【０１４６】
地区服装属性リスト表示部６０２ａは、検索条件に一致する又はある一定範囲内で検索条件に近い広告看板の候補を、条件に近い順番に、検索条件の中心地区である地区区分に近い順番でソートして表示する。また、中心地区である地区区分からの距離や最寄駅も表示する。さらに、検索により選択された広告看板に対応する服装の色に関する情報も表示する。
【０１４７】
天候設定プルダウンメニュー６０２ｂは、再検索条件として天候条件を設定するためのものである。ここに設定された天候条件に基づいて、地区服装属性リスト表示部６０２ａに表示される広告看板のリストを絞り込むことが可能となる。
【０１４８】
地区属性再設定メニューの地区区分プルダウンメニュー６０２ｃは、再検索条件として、検索条件の中心地区である地区区分を設定可能である。また、同じく地区属性再設定メニューの範囲（半径ｘ[km]以内）プルダウンメニュー６０２ｄは、再検索条件として、検索対象とする中心地区からの範囲を設定可能である。
【０１４９】
なお、地区属性再設定メニューは、地図から地区を選択するＵＩ（User Interface）を使用することとしてもよい。
【０１５０】
天候予測表示部６０２ｅは、過去の天候データと天候予報データとから気象予測データの一覧を表示するものである。ここに表示される気象データを参考にして、天候設定プルダウンメニュー６０２ｂに天候を入力することとなる。
【０１５１】
地区服装属性リスト表示部６０２ａにおいて一つの広告看板が選択されている状態でグラフ表示ボタン６０２ｆが押下されたならば、該広告看板に関連する服装の色の分布円グラフを表示するグラフ表示画面が表示される。
【０１５２】
天候設定プルダウンメニュー６０２ｂ、地区区分プルダウンメニュー６０２ｃ、又は範囲（半径ｘ[km]以内）プルダウンメニュー６０２ｄに検索条件が設定された場合に、再検索ボタン６０２ｇを押下することによって、広告看板を再検索することが可能となる。
【０１５３】
次に、図１４に示した地区服装属性分析グラフ表示処理手順において、条件検索結果表示部１０７として表示画面に表示される地区服装属性分析グラフ表示画面について説明する。図１７は、図１４に示した地区服装属性分析グラフ表示処理手順において、条件検索結果表示部１０７としてグラフ表示ボタン６０２ｆの押下に応じて検索結果表示画面とは別ウィンドウで表示画面に表示される地区服装属性分析グラフ表示画面のイメージ図である。
【０１５４】
同図に示すように、地区服装属性分析グラフ表示画面６０３は、グラフ表示と、閉じるボタン６０３ａとを有する。閉じるボタン６０３ａは、これが押下されると、当該地区服装属性分析グラフ表示画面６０３が閉じられ、表示消去される。
【０１５５】
この地区服装属性分析グラフ表示画面によって、地区服装属性リスト表示部６０２ａにおいて選択されている一つの広告看板に対応する服装の各色の割合を円グラフにして一目瞭然に表示するので、目的とする地区における服装の各色の分布を容易に把握、分析することが可能となる。
【０１５６】
実施例２のマーケティング支援端末装置１００は、広告面ＤＢ１０２ａと、天候情報付流動属性ＤＢ１０２ｂと、天候予報ＤＢ１０２ｃとを有し、これらのＤＢから、広告宣伝を行うターゲット層の年代や性別、地区属性としての地区区分や範囲などの入力条件に合致する過去の流動属性情報を取得し、該取得した過去の流動属性情報に基づいた流動属性の分析表示、例えば、服装の色における各色の占率をグラフなどで視覚に表示し、広告看板の利用効率を高めるマーケティング業務を支援することを可能とした。また、データ収集にかかる人員コストの問題を回避し、多くの調査項目について調査可能とし、調査対象の属性判断において高い客観性を確保可能とした。
【実施例３】
【０１５７】
次に、図１８〜２７を参照して、本発明のマーケティング支援装置及びマーケティング支援方法に係る実施例３を示す。実施例３は、イベントスペースエリアを通過又は該イベントスペースエリアに滞留する人物をカメラで撮像し、撮像された画像を分析して広告看板エリアを通過する人物の属性（性別、年齢、服装の色など）と、該イベントスペースのイベントステージへの注視の有無を検知してＤＢに記録したデータをマーケティング支援端末装置を使用して分析することによって、イベントを開催しようとする地区属性及びイベントを開催しようとする時期から、当該条件に合致するデータに基づく好適なイベントスペースの提案を可能とする実施例である。
【０１５８】
実施例３のマーケティング支援システム、システムサーバ２００及び集計センタサーバ３００の構成は、基本的に実施例１と同一である。また、実施例３で使用する天候情報テーブルは、実施例１のものと同一である。
【０１５９】
また、実施例３は、実施例１と比較して、流動属性統計テーブルのレイアウトが異なる。また、実施例３では、実施例１の広告看板管理情報テーブルに代えてイベントスペース管理情報テーブルを使用し、実施例１の広告看板利用状況テーブルに代えてイベントスペース利用状況テーブルを使用する。また、さらに、マーケティング支援端末装置１００における検索処理手順が異なり、検索条件入力画面などの表示画面が異なる。この差異以外は、実施例３は実施例１と同一であるので、実施例３は、実施例１との差異部分についてのみ説明することとする。
【０１６０】
先ず、実施例３のマーケティング支援システムのシステム構成について説明する。図１８は、実施例３のマーケティング支援システムのシステム構成を示すシステム構成図である。実施例３のマーケティング支援システムのシステム構成は、基本的に実施例１のマーケティング支援システムのシステム構成と同一であるので、差異部分についてのみ説明する。同図に示すように、実施例１の広告看板ｋの位置に実施例３ではイベントステージｓが配置される。実施例３のイベントスペースは実施例１の通路に相当する。
【０１６１】
カメラ２５０ａ、２５０ｂ及び２５０ｃは、イベントステージｓの前面のイベントスペースエリアを通過又は該イベントスペースに滞留する人物を撮像する。カメラ２５０ａは、イベントステージｓが設置される面からイベントスペースエリアｒ3に存在する人物を撮像し、カメラ２５０ｂ及び２５０ｃは、イベントスペースで対向する位置に配置されイベントスペースエリアｒ4に存在する人物を撮像する。
【０１６２】
次に、実施例３の天候情報付流動属性ＤＢ１０２ｂについて説明する。図１９は、実施例３の流動属性ＤＢ３０２ａと天候ＤＢ３０２ｂとから実施例３の天候情報付流動属性ＤＢ１０２ｂが生成される概要を示す図である。天候ＤＢ３０２ｂは、天候情報テーブルを有するＤＢである。実施例３において、流動属性ＤＢ３０２ａから天候情報付流動属性ＤＢ１０２ｂへ流動属性統計テーブルが取り込まれ、天候ＤＢ３０２ｂから天候情報付流動属性ＤＢ１０２ｂへ天候情報テーブルが取り込まれることにより、実施例３の天候情報付流動属性ＤＢ１０２ｂが流動属性統計テーブル及び天候情報テーブルを有することとなる。
【０１６３】
実施例３の流動属性統計テーブルは、“イベントスペース識別子”と、“イベントスペース設置場所”と、“イベントスペース設置地区”と、“最寄駅”と、“イベントカテゴリ”と、“商品名又はイベント名”と、“通行人ＩＤ”と、“通過検出時刻”と、“注視開始検出時刻”と、“年代”と、“性別”と、“服装”とのカラムを有する。
【０１６４】
“イベントスペース識別子”は、流動属性統計テーブルにおいて当該イベントスペースの個体を識別する情報である。“イベントスペース設置場所”は、当該イベントスペースの設置場所に関する情報である。“イベントスペース設置地区”は、当該イベントスペースが設置される地区に関する情報である。“最寄駅”は、当該イベントスペースが設置される場所の最寄駅に関する情報である。“イベントカテゴリ”は、当該イベントスペースで実施されるイベントの分類に関する情報である。“商品名又はイベント名”は、該イベントスペースで実施されるイベントが宣伝目的とする商品の商品名、若しくはイベント名関する情報である。例えば、“イベントカテゴリ”には、「服飾」、「食品」、「芸能」などがある。“イベントカテゴリ”が「服飾」や「食品」であれば、“商品名又はイベント名”は「商品名」となり、“イベントカテゴリ”が「芸能」であれば“商品名又はイベント名”は「イベント名」となる。「商品名」は、「ベーグル」や「チョコレート」などの具体的な商品名である。この場合に、当該イベントスペースで実施されたイベントは、「ベーグル」や「チョコレート」などの販売促進を目的としたイベントである。「イベント名」は、「握手会」や「ロックコンサート」などの具体的なイベント名である。
【０１６５】
“通行人ＩＤ”は、イベントスペースエリアを通過したことが検出された人物を一意に識別するための識別情報である。“通過検出時刻”は、“通行人ＩＤ”で識別された人物がイベントスペースエリアを通過したことが検出された日時を示す情報である。“注視開始検出時刻”は、イベントスペースエリアを通過した人物がイベントステージｓに対して注視を開始したことが検出された場合の該検出の日時を示す情報である。なお、ある人物がイベントスペースエリアを通過したことが検知され、“通過検知時刻”が登録されたとしても、該イベントへの注視が検出されなかった場合には、“注視開始検出時刻”には“ＮＵＬＬ”値が格納されることとなる。これによって、広告看板エリアを通過した場合に該イベントステージｓを注視したか否かを識別することが可能となる。
【０１６６】
“年代”は、広告看板エリアを通過した人物の顔を判定して推定した当該人物の年齢の区分の推定値である。人物の“年代”、“性別”、“服装”は、実施例１と同一である。
【０１６７】
次に、図１９に示した実施例３のマーケティング支援端末装置の構成について説明する。図２０は、図１９に示したマーケティング支援端末装置１００の構成を示す機能ブロック図である。実施例３のマーケティング支援端末装置１００は、記憶部１０２がイベントスペースＤＢ１０２ｄと、天候情報付流動属性ＤＢ１０２ｂと、天候予報ＤＢ１０２ｃと、流行ＤＢ１０２ｅとを有する点が実施例１と異なる。この差異以外は、実施例１と同一である。
【０１６８】
イベントスペースＤＢ１０２ｄは、後述のイベントスペース管理テーブルと、イベントスペース利用状況テーブルと、実施例２と同一の地区対応テーブルとを格納する。天候情報付流動属性ＤＢ１０２ｂは、図１９に示した流動属性統計テーブルと天候情報テーブルとを格納する。天候予報ＤＢ１０２ｃは、実施例１の天候予報ＤＢ１０２ｃと同一である。流行ＤＢ１０２ｅは、流行データベーステーブルを格納する。
【０１６９】
次に、図２０に示したイベントスペースＤＢ１０２ｄに格納されるイベントスペース管理情報テーブルについて説明する。図２１は、図２０に示したイベントスペースＤＢ１０２ｄに格納される広告看板管理情報テーブルのイメージ図である。イベントスペース管理情報テーブルは、“イベントスペース識別子”と、“設置地区区分”と、“場所区分”と、“イベントスペース面積”と、“料金”と、“設置場所管理者”とのカラムを有する。
【０１７０】
“イベントスペース識別子”は、イベントスペースを識別するための一意の識別情報である。イベントスペース管理情報テーブルの“イベントスペース識別子”は、流動属性統計テーブルの“イベントスペース識別子”と同一の情報であり、両者を関連付けることによって、流動属性が示されるイベントスペースの詳細情報（当該イベントスペースが設置される地区の情報である設置地区区分、当該イベントスペースの面積であるイベントスペース面積、イベント実施にために当該イベントスペースで利用するために必要な料金、当該当該イベントスペースで及び設置場所の管理業者である設置場所管理者などの情報）を取得することが可能となる。
【０１７１】
“設置地区区分”は、当該広告看板が設置される地区に関する情報である。広告看板管理情報テーブルの“設置地区区分”は、流動属性統計テーブルの“イベントスペース設置地区”と同一の情報であり、両者を関連付けることが可能である。“設置地区区分”によって、選択候補となりうるイベントスペースを絞り込むことが可能となる。
【０１７２】
“イベントスペース面積”は、当該イベントスペースの面積を示す情報である。“イベントスペース面積”によって、選択候補となりうるイベントスペースを絞り込むことが可能となる。“設置場所管理者”は、当該イベントスペースの設置場所及びイベントスペース自体の管理者を示す情報である。
【０１７３】
次に、図２０に示したイベントスペースＤＢ１０２ｄに格納されるイベントスペース利用状況テーブルについて説明する。図２２は、図２０に示したイベントスペースＤＢ１０２ｄに格納されるイベントスペース利用状況テーブルのイメージ図である。イベントスペース利用状況テーブルは、“イベントスペース識別子”と、一定期間に属する過去及び将来の年月とのカラムを有する。
【０１７４】
このイベントスペース利用状況テーブルには、イベントスペース識別子で特定されるイベントスペースに対する１ヶ月単位の利用状況が記憶されている。ある月において当該イベントスペースの利用があった場合は当該利用者の名称を記憶し、利用がなかった場合は“空き”を記憶している。例えば、“イベントスペース識別子”が“33”のイベントスペースは、“2006年1月”及び“2006年2月”においては“Ａ株式会社”の利用があることが記憶されている。また、“2006年3月”、“2006年６月”及び“2006年７月”においては利用者が無く“空き”であることが記憶されている。また、“2006年4月”及び“2006年5月”においては“Ｄ株式会社”の利用があることが記憶されている。
【０１７５】
また、例えば、“イベントスペース識別子”が“54”である広告看板は、“2006年3月”に“保守予定”と記憶されていることから、当該年月において保守作業が行われることが示されている。このように、一定期間に属する年月における広告看板の利用状況や保守状況を時系列で記憶することによって、現在年月の過去の利用状況及び将来の利用状況若しくは将来の保守予定を一元的に把握可能となる。過去の利用状況は、過去にどの利用者が利用したかの蓄積情報となり、将来の利用状況若しくは将来の保守予定は、将来どの利用者が利用予定であるか、若しくは将来において、どのイベントスペースがいつ利用可能であり、保守予定であるかを示し、利用予約又は利用契約することが可能であるかを明確にすることができる。
【０１７６】
次に、図２０に示した流行ＤＢ１０２ｅに格納される流行データベーステーブルについて説明する。図２３は、図２０に示した流行ＤＢ１０２ｅに格納される流行データベーステーブルのイメージ図である。流行データベーステーブルは、第三者期間から入手可能な流行の現状と将来予想に関する情報を記憶するテーブルである。流行データベーステーブルは、“年代”と、“性別”と、“イベントカテゴリ”と、“商品名又はイベント名”と、“実施地区”と、“流行開始時期”と、“流行持続予想期間”と、“流行回帰特性”と、“流行回帰特性周期”とのカラムを有する。
【０１７７】
“年代”、“性別”、“商品名又はイベント名”は、図１９に示した流動属性統計テーブルが有する“年代”、“性別”、“商品名又はイベント名”のカラムと同一である。また、“商品カテゴリ”は、図１９に示した流動属性統計テーブルが有する“イベントカテゴリ”と同一である。
【０１７８】
“流行発生地区”は、当該流行が発生している地区に関する情報である。“流行開始時期”は、当該流行が開始した時期に関する情報である。“流行持続予想期間”は、当該流行が継続する期間に関する情報である。“流行回帰特性”は、当該流行が再帰的・周期的に発生しうるものであるか否かに関する情報である。“流行回帰特性”は、“流行回帰特性”が“あり”の場合の、該回帰の周期に関する情報である。
【０１７９】
例えば、図２３によれば、“年代”が“３０歳代”の“女性”に、“商品カテゴリ”が“食品”である“ベーグル”が流行しており、その“流行発生地区”は“Ｂ地区”であり、“流行開始時期”は“2006年2月1日”であり、“流行持続予想期間”は“12ヶ月”であり、“流行回帰特性”は“なし”であることが分かる。
【０１８０】
次に、図１８に示したマーケティング支援システムのマーケティング支援端末装置１００におけるイベントスペース提案処理手順について説明する。図２４は、図１８に示したマーケティング支援システムのマーケティング支援端末装置１００におけるイベントスペース提案処理手順を示すフローチャートである。同図に示すように、先ず、検索条件の受け付けを行う（ステップＳ３０１）。続いて、受け付けられた検索条件に一致するデータを取得し（ステップＳ３０２）、得られたデータを表示する（ステップＳ３０３）。
【０１８１】
次に、検索条件を再設定するか否かを判定し（ステップＳ３０４）、再設定する場合は（ステップＳ３０４肯定）、ステップＳ３０１へ処理を移し、再設定しない場合は（ステップＳ３０４否定）、ステップＳ３０５へ処理を移す。
【０１８２】
次に、ステップＳ３０５では、詳細情報の表示が指示されたか否かを判定し、指示されたと判定される場合に（ステップＳ３０５肯定）、詳細情報を表示し（ステップＳ３０６）、指示されたと判定されなかった場合に（ステップＳ３０５否定）、ステップＳ３０７へ処理を移す。
【０１８３】
次に、ステップＳ３０７では、イベントスペース提案処理を終了するか否かを判定し、終了すると判定される場合に（ステップＳ３０７肯定）、イベントスペース提案処理を終了し、終了すると判定されない場合に（ステップＳ３０７否定）、ステップＳ３０１へ処理を移す。
【０１８４】
次に、図２４に示したイベントスペース提案処理手順において、抽出条件入力部１０６として表示画面に表示される検索条件入力画面について説明する。図２５は、図２４に示した地イベントスペース提案処理手順において、抽出条件入力部１０６として表示画面に最初に表示される検索条件入力画面のイメージ図である。同図に示すように、検索条件入力画面７０１は、イベントを実施したい地区の地区属性である地区区分プルダウンメニュー７０１ａと、同じくイベントを実施したい地区の地区属性である範囲プルダウンメニュー７０１ｂと、イベント開催時期である開始時期プルダウンメニュー７０１ｃと、同じくイベント開催時期である開催期間プルダウンメニュー７０１ｄと、入力された条件に基づいた検索処理を開始させるための検索ボタン７０１ｅと、検索条件入力を終了させるためのキャンセルボタン７０１ｆとを有する。
【０１８５】
なお、これらのプルダウンメニューは、選択候補のリストから検索条件を選択入力させるものであるが、一定の入力規則に則って直接入力可能であるとしてもよい。
【０１８６】
次に、図２４に示したイベントスペース提案処理手順において、抽出条件入力部１０６として表示画面に表示される検索結果表示画面について説明する。図２６は、次に、図２４に示したイベントスペース提案処理手順において、条件検索結果表示部１０７として検索条件入力画面に続いて表示画面に表示される検索結果表示画面のイメージ図である。同図に示すように、検索結果表示画面７０２は、カテゴリ別流行調査タブヴュー表示部７０２ａと、イベントの開始時期や開催期間を再設定させるための開催時期再設定プルダウンメニュー７０２ｂと、イベントの対処内なる商品の商品カテゴリを設定させるための商品カテゴリ設定プルダウンメニュー７０２ｃと、地区属性再設定メニューの地区区分プルダウンメニュー７０２ｄと、同じく地区属性再設定メニューの範囲（半径ｘ[km]以内）プルダウンメニュー７０２ｅと、天候予測表示部７０２ｆと、天候設定プルダウンメニュー７０２ｇと、流行情報表示部７０２ｈと、詳細表示ボタン７０２ｉと、再検索ボタン７０２ｊとを有する。
【０１８７】
カテゴリ別流行調査タブヴュー表示部７０２ａは、性別、年代別の２階層でタブを分け、指定された性別、年代のイベントに関する流動属性をタブヴューで表示する。また、条件に一致又は近いイベントスペースの候補を、条件に近い順番に、検索条件の中心地区である地区区分に近い順番でソートして表示する。また、中心地区である地区区分からの距離や最寄駅も表示する。さらに、検索により選択された広告看板に対応する服装の色に関する情報も表示する。
【０１８８】
商品カテゴリ設定プルダウンメニュー７０２ｃは、再検索条件として商品カテゴリを設定するためのものである。ここに設定された商品カテゴリに基づいて、カテゴリ別流行調査タブヴュー表示部７０２ａに表示されるイベントスペースのリストを絞り込むことが可能となる。
【０１８９】
天候設定プルダウンメニュー６０２ｂは、再検索条件として天候条件を設定するためのものである。ここに設定された天候条件に基づいて、カテゴリ別流行調査タブヴュー表示部７０２ａ表示されるイベントスペースのリストを絞り込むことが可能となる。
【０１９０】
地区属性再設定メニューの地区区分プルダウンメニュー７０２ｄは、再検索条件として、検索条件の中心地区である地区区分を設定可能である。また、同じく地区属性再設定メニューの範囲（半径ｘ[km]以内）プルダウンメニュー７０２ｅは、再検索条件として、検索対象とする中心地区からの範囲を設定可能である。
【０１９１】
なお、地区属性再設定メニューは、地図から地区を選択するＵＩ（User Interface）を使用することとしてもよい。
【０１９２】
天候予測表示部７０２ｆは、過去の天候データと天候予報データとから気象予測データの一覧を表示するものである。ここに表示される気象データを参考にして、天候設定プルダウンメニュー７０２ｇに天候を入力することとなる。
【０１９３】
流行情報表示部７０２ｈは、流行の現状と将来予測の一覧を表示するものである。ここに表示される流行情報を参考にして、開催時期再設定プルダウンメニュー７０２ｂに開催時期を再設定し、商品カテゴリ設定プルダウンメニュー７０２ｃに商品カテゴリを設定することとなる。流行情報を参考にして、開催時期及び商品カテゴリを設定可能とすることによって、流行のタイミングを掴んだ適切な時期で、最適な商品に関するイベントを実施することが可能なイベントスペースを選択することができる。
【０１９４】
カテゴリ別流行調査タブヴュー表示部７０２ａにおいて一つのイベントスペースが選択されている状態で詳細表示ボタン７０２ｉが押下されたならば、該イベントスペースに関連する詳細情報が表示される。
【０１９５】
開催時期再設定プルダウンメニュー７０２ｂ、地区区分プルダウンメニュー７０２ｄ、範囲（半径ｘ[km]以内）プルダウンメニュー７０２ｅ又は天候設定プルダウンメニュー７０２ｇに検索条件が設定された場合に、再検索ボタン７０２ｊを押下することによって、イベントスペースを再検索することが可能となる。
【０１９６】
次に、図２４に示したイベントスペース提案処理手順において、条件検索結果表示部１０７として表示画面に表示されるイベントスペース表示画面について説明する。図２７は、図２４に示したイベントスペース提案処理手順において、条件検索結果表示部１０７として詳細表示ボタン７０２ｊの押下に応じて検索結果表示画面とは別ウィンドウで表示画面に表示されるイベントスペース表示画面のイメージ図である。
【０１９７】
同図に示すように、イベントスペース表示画面７０３は、詳細情報表示部７０３ａと、料金表示部７０３ｂと、予約・契約ボタン７０３ｃと、閉じるボタン７０３ｄとを有する。
【０１９８】
詳細情報表示部７０３ａは、カテゴリ別流行調査タブヴュー表示部７０２ａにおいて選択されているイベントスペースに関する利用状況、保守予定、過去の利用者情報、イベントスペース面積、流動属性のイベントスペース毎のランキング、管理会社などを表示する。
【０１９９】
料金表示部７０３ｂは、カテゴリ別流行調査タブヴュー表示部７０２ａで選択されて当該イベントスペース表示画面に詳細情報が表示されているイベントスペースの利用料金を表示するための表示部である。
【０２００】
予約・契約ボタン７０３ｃが押下されたならば、当該イベントスペースの利用予約又は利用契約を締結することが可能である。予約・契約ボタン７０３ｃが押下されることによって、利用者の情報を入力させる画面を表示させ、予約確認書類又は利用契約書を作成する処理を行うこととしてもよい。
【０２０１】
閉じるボタン７０３ｄが押下されると、当該イベントスペース表示画面７０３が閉じられ、表示消去される。
【０２０２】
実施例３では、イベントスペース選択条件として、イベント開催地区、イベント開催時期や開催期間などを選択条件として最適なイベントスペースを選択することとしたが、これに限らず、流動属性統計テーブルのレコードうち、全ての通過検出人物のレコードに対するイベント注視開始時刻がセットされているレコードの比率から注視率を算出し、該注視率がより高いイベントスペースを選択して、イベントを開催するに最適なイベントスペースとして選択提示することとしてもよい。これにより、より効率的に集客し、注視を得ることができるイベントスペースを提案することができる。また、当該地区においては、どのようなイベントを実施すると集客が望めるかということも分かるので、イベント企画立案を効率的に支援することができる。
【０２０３】
実施例３のマーケティング支援端末装置１００は、イベントスペースＤＢ１０２ｄと、天候情報付流動属性ＤＢ１０２ｂと、天候予報ＤＢ１０２ｃと、流行ＤＢ１０２ｅとを有し、これらのＤＢから、イベントを実施する地区属性としての地区区分や範囲、イベントの開催時期としての開始時期や開催時期などの入力条件に合致する過去の流動属性情報を取得し、さらには、流行の現状と将来予測の情報である流行情報を参考にしながらイベントの種類やターゲットとする商品若しくはイベント開催時期を設定してイベントスペースを再検索可能とすることで、該取得した過去の流動属性情報に基づいて最適なイベントスペースを選択して提示し、イベントスペースの利用効率を高めるマーケティング業務を支援することを可能とした。また、データ収集にかかる人員コストの問題を回避し、多くの調査項目について調査可能とし、調査対象の属性判断において高い客観性を確保可能とした。
【産業上の利用可能性】
【０２０４】
本発明は、人員コストの問題を回避し、多くの調査項目について調査可能とし、調査対象の属性判断において高い客観性を確保可能なマーケティングを行いたい場合に有用である。
【図面の簡単な説明】
【０２０５】
【図１】本発明の特徴を示す図である。
【図２】実施例１のマーケティング支援システムのシステム構成を示すシステム構成図である。
【図３】実施例１のシステムサーバ２００の構成を示す機能ブロック図である。
【図４】実施例１の集計センタサーバ３００の構成を示す機能ブロック図である。
【図５】実施例１の天候情報付流動属性ＤＢ１０２ｂが生成される概要を示す図である。
【図６】実施例１のマーケティング支援端末装置１００の構成を示す機能ブロック図である。
【図７】実施例１の広告看板管理情報テーブルのイメージ図である。
【図８】実施例１の広告看板利用状況テーブルのイメージ図である。
【図９】実施例１のマーケティング支援端末装置１００における広告看板設置位置提案処理手順を示すフローチャートである。
【図１０】実施例１の検索条件入力画面のイメージ図である。
【図１１】実施例１の検索結果表示画面のイメージ図である。
【図１２】実施例１のネットワークボード表示画面のイメージ図である。
【図１３】実施例２の地区対応テーブルのイメージ図である。
【図１４】実施例２のマーケティング支援端末装置１００における地区服装属性分析グラフ表示処理手順を示すフローチャートである。
【図１５】実施例２の検索条件入力画面のイメージ図である。
【図１６】実施例２の検索結果表示画面のイメージ図である。
【図１７】実施例２の地区服装属性分析グラフ表示画面のイメージ図である。
【図１８】実施例３のマーケティング支援システムのシステム構成を示すシステム構成図である。
【図１９】実施例３の天候情報付流動属性ＤＢ１０２ｂが生成される概要を示す図である。
【図２０】実施例３のマーケティング支援端末装置１００の構成を示す機能ブロック図である。
【図２１】実施例３の広告看板管理情報テーブルのイメージ図である。
【図２２】実施例３のイベントスペース利用状況テーブルのイメージ図である。
【図２３】実施例３の流行データベーステーブルのイメージ図である。
【図２４】実施例３のマーケティング支援端末装置１００におけるイベントスペース提案処理手順を示すフローチャートである。
【図２５】実施例３の検索条件入力画面のイメージ図である。
【図２６】実施例３の検索結果表示画面のイメージ図である。
【図２７】実施例３のイベントスペース表示画面のイメージ図である。
【符号の説明】
【０２０６】
ｋ    広告看板
ｒ1    広告看板エリア
ｒ2    広告看板エリア
ｒ3    イベントスペースエリア
ｒ4    イベントスペースエリア
ｓ    イベントステージ
１００    マーケティング支援端末装置
１０１    制御部
１０２    記憶部
１０２ａ    広告面ＤＢ
１０２ｂ    天候情報付流動属性ＤＢ
１０２ｃ    天候予報ＤＢ
１０２ｄ    イベントスペースＤＢ
１０２ｅ    流行ＤＢ
１０３    抽出条件入力制御部
１０４    条件検索処理部
１０５    条件検索結果表示制御部
１０６    抽出条件入力部
１０７    条件検索結果表示部
２００    システムサーバ
２０１    制御部
２０２    記憶部
２０２ａ    注視判断基準
２０３    通行人物検出部
２０３ａ    動領域検出部
２０３ｂ    人物検出部
２０４    注視人物検出部
２０４ａ    顔検出処理部
２０４ｂ    顔方向検出処理部
２０５    顔下領域判定処理部
２０６    操作制御部
２０７    表示制御部
２０８    Ｉ／Ｆ部
２０９    操作部
２１０    表示部
２１０    Ｉ／Ｆ部
２５０ａ    カメラ
２５０ｂ    カメラ
２５０ｃ    カメラ
３００    集計センタサーバ
３０１    制御部
３０２ａ    流動属性ＤＢ
３０２ｂ    天候ＤＢ
３０２    記憶部
３０３    広告看板設置位置情報登録部
３０４    通過検出時刻登録部
３０５    注視検出時刻登録部
３０６    通行人年代登録部
３０７    通行人性別登録部
３０８    通行人顔下属性登録部
３０９    操作制御部
３１０    表示制御部
３１１    Ｉ／Ｆ部
３１２    操作部
３１３    表示部
５０１    検索条件入力画面
５０１ａ    年代プルダウンメニュー
５０１ｂ    性別プルダウンメニュー
５０１ｃ    商品カテゴリプルダウンメニュー
５０１ｄ    商品カテゴリプルダウンメニュー
５０１ｅ    設置開始プルダウンメニュー
５０１ｆ    設置期間プルダウンメニュー
５０１ｇ    検索ボタン
５０１ｈ    キャンセルボタン
５０２    検索結果表示画面
５０２ａ    設置場所候補リスト表示部
５０２ｂ    詳細情報表示部
５０２ｃ    天候設定プルダウンメニュー
５０２ｄ    設置開始プルダウンメニュー
５０２ｅ    設置期間プルダウンメニュー
５０２ｆ    天候予測表示部
５０２ｇ    再検索ボタン
５０２ｈ    ネットワークボード表示ボタン
５０２ｉ    予約・契約ボタン
５０３    ネットワークボード表示画面
５０３ａ    ネットワークボード一覧表示部
５０３ｂ    詳細情報表示部
５０３ｃ    料金表示部
５０３ｄ    予約・契約ボタン
５０３ｅ    閉じるボタン
６０１    検索条件入力画面
６０１ａ    年代プルダウンメニュー
６０１ｂ    性別プルダウンメニュー
６０１ｃ    地区区分プルダウンメニュー
６０１ｄ    範囲プルダウンメニュー
６０１ｅ    検索ボタン
６０１ｆ    キャンセルボタン
６０２    検索結果表示画面
６０２ａ    地区服装属性リスト表示部
６０２ｂ    天候設定プルダウンメニュー
６０２ｃ    地区区分プルダウンメニュー
６０２ｄ    範囲（半径ｘ[km]）プルダウンメニュー
６０２ｅ    天候予測表示部
６０２ｆ    グラフ表示ボタン
６０２ｇ    再検索ボタン
６０３    地区服装属性分析グラフ表示画面
６０３ａ    閉じるボタン
７０１    検索条件入力画面
７０１ａ    地区区分プルダウンメニュー
７０１ｂ    範囲プルダウンメニュー
７０１ｃ    開始時期プルダウンメニュー
７０１ｄ    開催期間プルダウンメニュー
７０１ｅ    検索ボタン
７０１ｆ    キャンセルボタン
７０２    検索結果表示画面
７０２ａ    カテゴリ別流行調査タブヴュー表示部
７０２ｂ    開催時期再設定プルダウンメニュー
７０２ｃ    商品カテゴリ設定プルダウンメニュー
７０２ｄ    地区区分プルダウンメニュー
７０２ｅ    プルダウンメニュー
７０２ｆ    天候予測表示部
７０２ｇ    天候設定プルダウンメニュー
７０２ｈ    流行情報表示部
７０２ｉ    詳細表示ボタン
７０２ｊ    再検索ボタン
７０３    イベントスペース表示画面
７０３ａ    詳細情報表示部
７０３ｂ    料金表示部
７０３ｃ    予約・契約ボタン
７０３ｄ    ボタン
【図１】
2007293544.tif 000003
【図２】
2007293544.tif 000004
【図３】
2007293544.tif 000005
【図４】
2007293544.tif 000006
【図５】
2007293544.tif 000007
【図６】
2007293544.tif 000008
【図７】
2007293544.tif 000009
【図８】
2007293544.tif 000010
【図９】
2007293544.tif 000011
【図１０】
2007293544.tif 000012
【図１１】
2007293544.tif 000013
【図１２】
2007293544.tif 000014
【図１３】
2007293544.tif 000015
【図１４】
2007293544.tif 000016
【図１５】
2007293544.tif 000017
【図１６】
2007293544.tif 000018
【図１７】
2007293544.tif 000019
【図１８】
2007293544.tif 000020
【図１９】
2007293544.tif 000021
【図２０】
2007293544.tif 000022
【図２１】
2007293544.tif 000023
【図２２】
2007293544.tif 000024
【図２３】
2007293544.tif 000025
【図２４】
2007293544.tif 000026
【図２５】
2007293544.tif 000027
【図２６】
2007293544.tif 000028
【図２７】
2007293544.tif 000029